(57)【要約】【課題】紙面レイアウトの際に、写真やイラスト等の画像に含まれる人物、旗、建物、マーク等の特定対象物が、紙面の折り目位置上に配置されないように自動的に調整すること。【解決手段】本発明は、紙面を構成する記事、画像、小組及びこの画像の説明文を含む素材のうちの少なくとも何れかを紙面上に配置して紙面を制作する組版システムにおいて、画像のうち、予め定めた対象物を含む画像を識別する画像識別部５２を備えている。更に、記素材が配置された紙面のイメージを、紙面の折り目位置とともに表示画面から表示させる表示制御部５３を備えている。更に、画像識別部５２によって識別された画像が、紙面の折り目位置上に配置されていることを検出する検出部５６を備えている。【選択図】      図２
2006211114.tif 000002
【特許請求の範囲】
【請求項１】
紙面を構成する記事、画像、小組及びこの画像の説明文を含む素材のうちの少なくとも何れかを紙面上に配置して紙面を制作する組版システムにおいて、
前記画像のうち、予め定めた対象物を含む画像を識別する識別手段と、
前記素材が配置された紙面のイメージを、前記紙面の折り目位置とともに表示画面から表示させる表示制御手段と、
前記識別手段によって識別された画像が、前記紙面の折り目位置上に配置されていることを検出する検出手段と
を備えた組版システム。
【請求項２】
紙面を制作するシステムに適用されるプログラムであって、
前記紙面を構成する記事、画像、小組及びこの画像の説明文を含む素材情報を記憶した記憶装置から、指定された素材情報を取得し、取得した素材情報を紙面上に配置処理する配置処理機能、
前記配置処理された画像のうち、予め定めた対象物を含む画像を識別する識別機能、
前記配置処理された紙面のイメージを、前記紙面の折り目位置とともに表示画面から表示させる表示制御機能、
前記識別された画像が、前記紙面の折り目位置上に配置されていることを検出する検出機能
をコンピュータに実現させるためのプログラム。
【請求項３】
請求項２に記載のプログラムにおいて、
前記検出された画像の配置位置を、前記紙面の折り目位置上以外の位置に変更する配置位置変更機能を更にコンピュータに実現させるためのプログラム。
【請求項４】
請求項２に記載のプログラムにおいて、
前記検出された画像が、小組内に配置された画像であるかを判定する判定機能を更にコンピュータに実現させるためのプログラム。
【請求項５】
請求項４に記載のプログラムにおいて、
前記小組内に配置された画像であると判定された画像の配置位置を、当該小組内における前記折り目位置上以外の位置に変更する配置位置変更機能を更にコンピュータに実現させるためのプログラム。
【請求項６】
紙面を制作するシステムに適用されるプログラムであって、
前記紙面を構成する記事、画像、小組及びこの画像の説明文を含む素材情報を記憶した記憶装置から、指定された素材情報を取得し、取得した素材情報を紙面上に配置処理する配置処理機能、
前記配置処理された画像のうち、予め定めた対象物を含む画像を識別する識別機能、
前記配置処理された紙面のイメージを、前記紙面の折り目位置とともに表示画面から表示させる表示制御機能、
前記識別された画像が配置された紙面に基づいて、この画像に含まれる前記予め定めた対象物の配置位置情報と寸法情報とを把握する配置情報把握機能、
前記把握された配置位置情報と寸法情報とに基づいて、前記識別された画像に含まれる前記予め定めた対象物が、前記紙面の折り目位置上に配置されていることを検出する検出機能
をコンピュータに実現させるためのプログラム。
【請求項７】
請求項６に記載のプログラムにおいて、
前記検出された対象物が前記紙面の折り目位置上に配置されないように、この対象物を含む画像の配置位置を変更する配置位置変更機能を更にコンピュータに実現させるためのプログラム。
【請求項８】
請求項７に記載のプログラムにおいて、
前記配置位置変更機能は、前記画像に含まれる対象物を囲む最小矩形領域が前記折り目位置上に配置されないように、前記画像の配置位置を変更するようにしたプログラム。
【請求項９】
請求項６に記載のプログラムにおいて、
前記検出された対象物が、前記小組内に配置された画像に含まれるかを判定する判定機能を更にコンピュータに実現させるためのプログラム。
【請求項１０】
請求項９に記載のプログラムにおいて、
前記検出された対象物が前記紙面の折り目位置上に配置されないように、この対象物を含む画像の配置位置を、この画像が配置された小組内で変更する配置位置変更機能を更にコンピュータに実現させるためのプログラム。
【請求項１１】
請求項１０に記載のプログラムにおいて、
前記配置位置変更機能は、前記画像に含まれる対象物を囲む最小矩形領域が前記折り目位置上に配置されないように、前記画像の配置位置を前記小組内で変更するようにしたプログラム。
【請求項１２】
請求項９に記載のプログラムにおいて、
前記検出された対象物を含む画像が配置された小組の配置位置を、前記紙面の折り目位置上以外の位置に変更する配置位置変更機能を更にコンピュータに実現させるためのプログラム。
【請求項１３】
請求項１２に記載のプログラムにおいて、
前記配置位置変更機能は、前記画像に含まれる対象物を囲む最小矩形領域が前記折り目位置上に配置されないように、前記画像の配置位置を前記小組内で変更するようにしたプログラム。
【請求項１４】
請求項２乃至１３のうち何れか１項に記載のプログラムにおいて、
前記予め定めた対象物とは、人物、旗、建物、マークのうちの少なくも何れかであるプログラム。
【発明の詳細な説明】
【技術分野】
【０００１】
本発明は、例えば新聞社や印刷会社において新聞や雑誌等の紙面を作成し、印刷用の版下データを作成する組版システム、および組版システムに適用されるプログラムに関する。
【背景技術】
【０００２】
この種の組版システムに関する発明は、例えば、特許文献１乃至５に示すように数多くある。これら組版システムによって制作される新聞、雑誌、及び書籍等の印刷物の紙面においては、文書のみならず、人物、建物、旗、マーク、景色、イメージ等のイラストや写真を含む多くの画像が用いられている。
【０００３】
例えば、図９３に示す新聞紙面のように、この種の紙面１００には折り目位置１０１，１０２が存在する場合があるが、紙面１００を制作する新聞社や印刷会社等は、人物の顔や、国旗等の旗や、象徴的な意味を持つマーク等の画像ｃや、小組内画像ｋ１が、折り目位置１０１，１０２上に配置されることを嫌う習慣がある。図９４は、折り目位置１０１，１０２上に、画像ｃが配置されている例を示している。
【０００４】
このため、レイアウト担当者は、紙面１００を構成する記事ａ，ｅ、画像ｃ，ｇ，ｈ、小組ｋ、見出しｂ，ｆ、及び罫ｄ等を含む素材を配置して紙面１００を制作するレイアウト処理時において、人物の顔や、国旗等の旗や、象徴的な意味を持つマーク等の識別の対象物を含む画像ｃや小組内画像ｋ１が、折り目位置上１０１，１０２に配置されないように注意を払ってレイアウト処理を行っている。
【特許文献１】特開２００１−２７３２８１号公報
【特許文献２】特開２００３−２２３６４６号公報
【特許文献３】特開平７−１０５２１２号公報
【特許文献４】特開平１０−２３５８２３号公報
【特許文献５】特開平１１−２５９６６５号公報
【発明の開示】
【発明が解決しようとする課題】
【０００５】
このため、レイアウト担当者に多大な負担がかかってしまうという問題がある。
【０００６】
また、このようにレイアウト担当者による人間系のレイアウト処理によって配置が決定されている以上、レイアウト担当者がいかに注意を払ってレイアウトしたにせよ、誤って折り目位置上１０１，１０２に識別の対象物を含む画像ｃや小組内画像ｋ１が配置されてしまう恐れがあるという問題がある。
【０００７】
紙面の枚数が少ない場合であれば、人間系のレイアウト処理であっても、このような誤配置の可能性をかなり少なくすることができるかもしれないが、印刷物は通常、かなりの枚数の紙面１００から構成されるので、レイアウト担当者の負担はかなりなものになる。更に、特に新聞は、締め切り時刻が厳格に定められているので、締め切り時刻までに時間的に余裕のない場合には、絶対的な時間が少ないことに加えて、精神的にも追いつめられた状況でレイアウト処理を行わねばならないために、上述したような誤配置を、つい見落としてしまう可能性が高くなる恐れがある。
【０００８】
本発明はこのような事情に鑑みてなされたものであり、写真やイラスト等の画像に含まれる人物、旗、建物、マーク等の特定対象物が、紙面の折り目位置上に配置されないように自動的に調整することが可能な組版システム、およびそれに適用されるプログラムを提供することを目的とする。
【課題を解決するための手段】
【０００９】
上記の目的を達成するために、本発明では、以下のような手段を講じる。
【００１０】
すなわち、本発明に係る組版システムは、紙面を構成する記事、画像、小組及びこの画像の説明文を含む素材のうちの少なくとも何れかを紙面上に配置して紙面を制作する組版システムであり、以下に示すような識別手段と、表示制御手段と、検出手段とが備えられている。
【００１１】
そして、識別手段によって、画像のうち、人物、旗、建物、マーク等のような予め定めた対象物を含む画像が識別され、表示制御手段によって、素材が配置された紙面のイメージが、紙面の折り目位置とともに表示画面から表示される。更に、検出手段では、識別手段によって識別された画像が、紙面の折り目位置上に配置されていることが検出される。
【００１２】
レイアウト担当者は、この検出結果を参照することにより、予め定めた対象物を含む画像が、折り目位置上に配置されていることを把握することができる。
【００１３】
更に、本発明に係る組版システムは、検出手段によって検出された画像の配置位置を、紙面の折り目位置上以外の位置に変更する配置位置変更手段を更に備えることもできる。これによって、予め定めた対象物を含む画像が、折り目位置上に配置されている場合には、この画像の配置位置が、折り目位置上以外の位置に自動的に変更される。この画像が小組に含まれる画像である場合には、この小組全体を、折り目位置以外の位置に自動的に変更することも可能である。
【００１４】
なお、本発明に係る組版システムは、小組内に配置された画像に対しても適用することができる。この場合、検出手段によって検出された画像が、小組内に配置された画像であれば、この画像の配置位置は、配置位置変更手段によって、当該小組内における折り目位置上以外の位置に変更される。
【００１５】
また、本発明に係る組版システムは、予め定めた対象物を含む画像が折り目位置上に配置されている場合、画像全体が折り目位置上に配置されないように配置位置を変更するのではなく、画像に含まれる予め定めた対象物が折り目位置上に配置されないように、最低限の配置変更を行うこともできる。
【００１６】
これは、識別手段によって識別された画像が配置された紙面に基づいて、この画像に含まれる予め定めた対象物の配置位置情報と寸法情報とを把握する配置情報把握手段を更に備え、配置位置変更手段が、配置位置情報と寸法情報とに基づいて、画像に含まれる予め定めた対象物が、紙面の折り目位置上に配置されないように配置位置を変更することによってなされる。これは特に、レイアウト変更の余地が少ない場合において有効である。
【００１７】
具体例として、配置位置変更手段は、画像に含まれる対象物を囲む最小矩形領域が折り目位置上に配置されないように、画像の配置位置を変更する。この画像が、小組に含まれる画像であれば、画像に含まれる対象物を囲む最小矩形領域が折り目位置上に配置されないように、画像の配置位置を小組内で変更することも可能にしている。
【発明の効果】
【００１８】
本発明によれば、写真やイラスト等の画像に含まれる人物、旗、建物、マーク等の特定対象物が、紙面の折り目位置上に配置されないように自動的に調整することが可能な組版システム、およびそれに適用されるプログラムを実現することができる。
【発明を実施するための最良の形態】
【００１９】
以下に、本発明を実施するための最良の形態について図面を参照しながら説明する。
【００２０】
本発明の実施の形態に係る組版システムは、例えば新聞社や印刷会社において新聞や雑誌等の紙面を作成し、印刷用の版下データを作成するためのシステムである。以下の説明では、新聞紙面用の版下データを作成する場合を例に説明するが、本発明でいう組版システムは、勿論新聞紙面用の版下データの作成に限定的に用いられるものではなく、雑誌等の版下データの作成に用いることもできるものである。
【００２１】
図１は、本実施の形態に係る新聞紙面用の版下データの作成に適用される組版システムの一例を示す機能ブロック図である。
【００２２】
すなわち、このような組版システムは、通常は新聞社に設置され、記事入力／校正端末１と、記事サーバ２と、画像入力／加工端末３と、画像サーバ４と、組版端末５と、組版編集サーバ６と、紙面データ記憶装置７と、出力サーバ８と、プリンタ／プロッタ９とを備えている。
【００２３】
記事入力／校正端末１は、記事や、画像の説明文の入力および校正を行うための端末であり、オペレータによって記事データや説明文データが入力されると、入力された記事データや説明文データは、この記事入力／校正端末１によって記事サーバ２に出力される。また、この記事入力／校正端末１によって、記事サーバ２に蓄積されている記事データや説明文データが取得される。この取得された記事データや説明文データは、記事入力／校正端末１を介してなされるオペレータ操作によって校正がなされ、更に校正された記事データや説明文データは、記事入力／校正端末１から記事サーバ２に再び出力される。
【００２４】
記事サーバ２では、このようにして記事入力／校正端末１から入力された記事データや説明文データの他に、図示しない通信回線を経由して通信社などから入力された記事データや説明文データも送信される。この送信された記事データや説明文データもまた記事サーバ２に蓄積される。更に、記事入力／校正端末１からの校正要求に基づいて、蓄積している記事データや説明文データの中から、要求のあった記事データや説明文データが、記事サーバ２から記事入力／校正端末１へと出力される。更に、記事サーバ２に蓄積されている記事データや説明文データは、オペレータ指示に基づいて組版編集サーバ６に出力され、組版編集サーバ６でなされる組版編集に供される。
【００２５】
スキャナやディスプレイ等が備えられている画像入力／加工端末３では、写真やイラスト等の画像データの入力、およびこれら画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【００２６】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力され、ここで行われる組版編集に供される。
【００２７】
組版端末５は、オペレータが、記事、画像、画像の説明文、および見出しのレイアウト処理を端末であり、各オペレータに対して１台ずつ備えられ、図示しないマウスやキーボード等の入力デバイスを備えている。図１では、代表的に１台の組版端末５のみを示している。各オペレータは、自分が担当する組版端末５を操作することによって、記事サーバ２に格納された記事データや、画像サーバ４に格納された画像データを組版編集サーバ６を介して取得し、画像データや記事データなどの素材を紙面上に配置するレイアウト処理を行うことによって紙面データ７１を作成し、作成した紙面データ７１を紙面データ記憶装置７に記憶させる。そして、また、紙面データ記憶装置７に記憶されている紙面データ７１を編集し、編集後の紙面データ７１を紙面データ記憶装置７に再び記憶させる。
【００２８】
紙面データ７１は、例えば図３から図１１に示すようなデータ構成をしており、図３に示すような管理情報７１０と、図４から図１１に示すような素材情報７１１〜７１８と、図１２に示すような素材実体７２５とからなる。
【００２９】
管理情報７１０は、掲載年月日７１ＫＮ、面名７１ＭＮ、版名７１ＨＮ、印刷ページ番号７１ＰＧからなる。なお、体裁情報７１ＴＳとは、組方向、段数、字詰、文字サイズ、段間、行間などの定義情報である。
【００３０】
素材情報７１１〜７１８は、例えば図４から図１１に示すように、素材（＃１〜＃８）毎に定義したデータであって、図４は「記事ア」、図５は「見出しイ」、図６は「画像ウ」、図７は「罫エ」、図８は「記事オ」、図９は「見出しカ」、図１０は「画像キ」、図１１は「画像ク」にそれぞれ相当する。勿論これらは一例であって、これに限定されるものではなく、例えば、図４が、記事ではなくて、画像である場合もありうる。また、素材の数も８つに限定されるものではなく、これより多い場合、あるいは少ない場合も当然ありうるものと理解されたい。
【００３１】
このような素材情報は、記事の場合には、例えば図４に示すように、素材種別７１ＳＢ（＝記事）、素材ＩＤ番号７１ＩＤ、配置情報７１ＦＬ、配置位置座標７１ＬＭ、配置領域寸法７１ＳＺ、仮見出７１ＫＭ、テキスト格納アドレス情報７１ＡＤ、レイアウト済テキスト格納アドレス情報７１ＢＤ等からなる。
【００３２】
また、見出しの場合には、例えば図５に示すように、素材種別７１ＳＢ（＝見出し）、素材ＩＤ番号７１ＩＤ、配置情報７１ＦＬ、配置位置座標７１ＬＭ、配置領域寸法７１ＳＺ、仮見出７１ＫＭ、テキスト格納アドレス情報７１ＡＤ、レイアウト済テキスト格納アドレス情報７１ＢＤ等からなる。
【００３３】
また、画像の場合には、例えば図６に示すように、素材種別７１ＳＢ（＝画像）、素材ＩＤ番号７１ＩＤ、配置情報７１ＦＬ、配置位置座標７１ＬＭ、配置領域寸法７１ＳＺ、仮見出７１ＫＭ、画像区分７１ＧＫ、対象画像区分７１ＪＢ、画像付属情報７１ＦＺ、表示画格納アドレス情報７１ＡＤ、実画像格納アドレス情報７１ＢＤ等からなる。
【００３４】
罫の場合には、例えば図７に示すように、素材種別７１ＳＢ（＝罫）、素材ＩＤ番号７１ＩＤ、配置情報７１ＦＬ、配置位置座標７１ＬＭ、配置領域寸法７１ＳＺ、罫付属情報７１ＦＺ等からなる。
【００３５】
素材実体７２５は、実際に紙面１００に掲載されるデータであって、記事であればテキストデータ、画像であれば画像データに相当する。これらは、紙面データ７１に登録された各素材情報７１１〜７１８に対応させて格納している。すなわち、素材情報７１１である「記事ア」のデータは、テキスト７１ＴＸ（＃１）、レイアウト済テキスト７１ＬＸ（＃１）として、素材情報７１２である「見出しイ」のデータは、テキスト７１ＴＸ（＃２）、レイアウト済テキスト７１ＬＸ（＃２）として、素材情報７１３である「画像ウ」のデータは、表示画データ７１ＨＩ（＃３）、実画像データ７１ＲＩ（＃３）として、素材情報７１５である「記事オ」のデータは、テキスト７１ＴＸ（＃５）、レイアウト済テキスト７１ＬＸ（＃５）として、素材情報７１６である「見出しカ」のデータは、テキスト７１ＴＸ（＃６）、レイアウト済テキスト７１ＬＸ（＃６）として、素材情報７１７である「画像キ」のデータは、表示画データ７１ＨＩ（＃７）、実画像データ７１ＲＩ（＃７）として、素材情報７１８である「画像ク」のデータは、表示画データ７１ＨＩ（＃８）、実画像データ７１ＲＩ（＃８）として、それぞれ格納している。なお、「罫」については素材実体７２５は存在しないので、素材情報７１４である「罫エ」に関する素材実体７２５はない。
【００３６】
また、組版端末５は、画像に含まれる人物、旗、建物、マーク等の特定対象物が、紙面の折り目位置上に配置されないように自動的に調整する機能をも有しており、この機能を実現するために、図２の機能ブロック図に示すように、画像識別部５２と、表示制御部５３と、表示画面５４と、配置情報把握部５５と、検出部５６と、配置位置変更部５７とを備えている。
【００３７】
画像識別部５２は、紙面データ記憶装置７から紙面データ７１を取得し、取得した紙面データ７１の対象画像区分７１ＪＢが「該当」と設定されている画像を、折り目位置１０１，１０２上に配置しないようにする対象物を含む画像（以下、「対象画像」と称する）と認識する。そして、この識別結果を、紙面データ７１とともに表示制御部５３及び配置情報把握部５５に出力する。なお、対象画像は、画像単独として紙面１００上に配置される場合もあれば、小組を構成する一素材として小組内に配置される場合もある。
【００３８】
表示制御部５３は、予め格納した折り目位置の座標情報と、画像識別部５２からの紙面データ７１とに基づいて、レイアウト処理後の紙面１００のイメージを、折り目位置１０１，１０２とともに表示画面５４から表示させる。また、折り目位置の座標情報を、検出部５６に出力する。
【００３９】
表示画面５４は、ＣＲＴやＬＣＤ等が用いられ、表示制御部５３による表示制御に従って、レイアウト処理後の紙面１００のイメージを、折り目位置とともに表示する。
【００４０】
配置情報把握部５５は、画像識別部５２からの識別結果と紙面データ７１とに基づいて、対象画像の配置位置座標７１ＬＭと配置領域寸法７１ＳＺとを把握する。また、対象画像に含まれる対象物に関しても配置位置座標と配置領域寸法とのデータを紙面データ７１に持たせることによって、対象画像に含まれる対象物についても配置位置座標と配置領域寸法とを把握することができる。そして、把握した配置位置座標７１ＬＭと配置領域寸法７１ＳＺとを、画像識別部５２からの識別結果及び紙面データ７１とともに検出部５６に出力する。
【００４１】
検出部５６は、表示制御部５３からの折り目位置の座標情報と、配置情報把握部５５からの識別結果及び紙面データ７１とに基づいて、紙面１００の折り目位置１０１，１０２上に配置されている対象画像を検出する。折り目位置１０１，１０２上に配置されている対象画像について、対象画像に含まれる対象物についても配置位置座標と配置領域寸法とが定義されている場合には、この配置位置座標と配置領域寸法とに基づいて、この対象画像に含まれる対象物のうち、紙面１００の折り目位置１０１，１０２上に配置されている対象物を検出する。配置情報把握部５５から出力された情報に、この検出結果を加えて配置位置変更部５７に出力する。
【００４２】
配置位置変更部５７は、折り目位置１０１，１０２上に配置されると検出部５６によって検出された対象画像について、以下の（１）〜（７）に示すもののうちの何れかに示す配置位置変更処理を行い、対象画像全体、あるいは対象画像のうちの少なくとも対象物が、折り目位置１０１，１０２上に配置されないようにする。
【００４３】
（１）折り目位置１０１，１０２上に対象画像が全く配置されないように、対象画像の配置位置座標７１ＬＭを変更する。
【００４４】
（２）折り目位置１０１，１０２上に対象物が配置されないように、対象画像の配置位置座標７１ＬＭを変更する。すなわち、折り目位置１０１，１０２上に対象画像の一部が配置されていても、対象物が配置されないようにする。
【００４５】
（３）折り目位置１０１，１０２上に対象物を囲む最小矩形領域が配置されないように、対象画像の配置位置座標７１ＬＭを変更する。すなわち、折り目位置１０１，１０２上に対象画像の一部が配置されていても、最小矩形領域が配置されないようにする。
【００４６】
（４）検出部５６によって検出された対象物を含む対象画像が、小組内に配置されている場合には、折り目位置１０１，１０２上に対象画像が全く配置されないように、対象画像の配置位置座標７１ＬＭをこの小組内で変更する。
【００４７】
（５）検出部５６によって検出された対象物を含む対象画像が、小組内に配置されている場合には、折り目位置１０１，１０２上に対象物が配置されないように、対象画像の配置位置座標７１ＬＭをこの小組内で変更する。すなわち、折り目位置１０１，１０２上に対象画像の一部が配置されていても、対象画像の配置位置座標を小組内で変更することによって、対象物が折り目位置上に配置されないようにする。
【００４８】
（６）検出部５６によって検出された対象物を含む対象画像が、小組内に配置されている場合には、対象物を囲む最小矩形領域が折り目位置１０１，１０２上に配置されないように、対象画像の配置位置座標７１ＬＭをこの小組内で変更する。すなわち、折り目位置１０１，１０２上に対象画像の一部が配置されていても、対象画像の配置位置座標を小組内で変更することによって、最小矩形領域が折り目位置上に配置されないようにする。
【００４９】
（７）検出部５６によって検出された対象物を含む対象画像が、小組内に配置されている場合には、折り目位置１０１，１０２上に対象物が配置されないように、この小組の配置位置座標７１ＬＭを変更する。
【００５０】
なお、図２に示すような機能は、組版端末５に備えられるのに限定されるわけではなく、例えば組版編集サーバ６のように、組版端末５以外の別の部位に備えるようにしても良い。
【００５１】
組版編集サーバ６では、組版端末５から出力されたレイアウト処理の結果に基づいて、紙面データ７１の編集作業が行われる。そして、このように組版編集サーバ６で編集作業がなされた紙面データ７１は、紙面データ記憶装置７に格納される。また、一旦格納された紙面データ７１が再び組版編集サーバ６へと読み出され、再び編集作業が行われた後に紙面データ記憶装置７に格納されることも可能である。なお、紙面データ記憶装置７は、メモリやハードディスク等の記憶媒体からなる。
【００５２】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００５３】
各サーバ２，４，６，８は、図示しないプログラム記憶領域を備えており、ここに記憶されたプログラムを読み出し、このプログラムにしたがって動作する。なお、このプログラムは、このように自己に記憶される場合に限定されるものではなく、インターネット等の通信ネットワークを介してダウンロードされるようにしてもよい。
【００５４】
ここでプログラム記憶領域としては、磁気ディスク、フロッピー（登録商標）ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００５５】
また、プログラム記憶領域からインストールされたプログラムの指示に基づき各サーバ２，４，６，８で稼働しているＯＳ（オペレーティングシステム）や、データベース管理ソフト、ネットワークソフト等のＭＷ（ミドルウェア）等が本実施の形態を実現するための各処理の一部を実行してもよい。
【００５６】
さらに、プログラム記憶領域は、コンピュータである各サーバ２，４，６，８の一部であっても独立した媒体であっても良く、更にはＬＡＮやインターネット等により伝送されたプログラムをダウンロードして記憶又は一時記憶した記憶媒体であっても良い。
【００５７】
また、この記憶媒体は１つに限らず、複数の媒体から本実施の形態における処理が実行される場合もここでいう記憶媒体に含まれ、媒体構成は何らの構成であってもよい。
【００５８】
なお、ここでいうコンピュータは、記憶媒体に記憶されたプログラムに基づき、本実施の形態における各処理を実行するものであって、パソコン等の１つからなる装置、複数の装置がネットワーク接続されたシステム等の何れの構成であってもよい。また、このコンピュータとは、パソコンに限らず、情報処理機器に含まれる演算処理装置、マイコン等も含み、プログラムによって本発明の機能を実現することが可能な機器、装置を総称している。
【００５９】
次に、以上のように構成した本実施の形態に係る組版システムの表示制御部５３による表示制御処理の流れについて図１３に示すフローチャートを用いて説明する。
【００６０】
新聞紙面には、折り目が２つ、４つ、８つのタイプがある。そこでまず表示制御部５３では、これらタイプ別に表示制御処理がなされる。まず、折り目が２つ折りである場合（Ｓ１：Ｙｅｓ）には、２つ折りの折り目の始点座標及び終点座標が計算される（Ｓ２）。具体的な計算方法について図１４及び図１５を用いて説明する。
【００６１】
２つ折りの場合、図１４に示す紙面１００における線分Ａが折り目となる。紙面１００の始点座標が（ＸＰ、ＹＰ）、終点座標が（ＸＱ，ＹＱ）である場合、線分Ａの始点Ｘ座標、始点Ｙ座標、終点Ｘ座標、終点Ｙ座標は図１５に示す通りとなる。次に、表示画面５４上から、２つ折りの折り目の位置、即ち線分Ａが表示される（Ｓ３）。
【００６２】
一方、折り目が４つ折りである場合（Ｓ４：Ｙｅｓ）には、４つ折りの折り目の始点座標及び終点座標が計算される（Ｓ５）。具体的な計算方法について図１４及び図１６を用いて説明する。
【００６３】
４つ折りの場合、図１４に示す紙面１００における線分Ａ及び線分Ｂが折り目となる。紙面１００の始点座標が（ＸＰ、ＹＰ）、終点座標が（ＸＱ，ＹＱ）である場合、線分Ａ及び線分Ｂの始点Ｘ座標、始点Ｙ座標、終点Ｘ座標、終点Ｙ座標は図１６に示す通りとなる。次に、表示画面５４上から、４つ折りの折り目の位置、即ち線分Ａ及び線分Ｂが表示される（Ｓ６）。
【００６４】
更に、折り目が８つ折りである場合（Ｓ７：Ｙｅｓ）には、８つ折りの折り目の始点座標及び終点座標が計算される（Ｓ８）。具体的な計算方法について図１４及び図１７を用いて説明する。
【００６５】
８つ折りの場合、図１４に示す紙面１００における線分Ａ、線分Ｂ、線分Ｃ、及び線分Ｄが折り目となる。紙面１００の始点座標が（ＸＰ、ＹＰ）、終点座標が（ＸＱ，ＹＱ）である場合、線分Ａ、線分Ｂ、線分Ｃ、及び線分Ｄの始点Ｘ座標、始点Ｙ座標、終点Ｘ座標、終点Ｙ座標は図１７に示す通りとなる。次に、表示画面５４上から、４つ折りの折り目の位置、即ち線分Ａ、線分Ｂ、線分Ｃ、及び線分Ｄが表示される（Ｓ９）。
【００６６】
このようにして、表示画面５４から、紙面１００の折り目位置を表示することができる。
【００６７】
次に、本実施の形態に係る組版システムの組版端末５においてなされる折り目位置上に配置された対象画像の検出処理の流れについて図１８及び図１９に示すフローチャートを用いて説明する。対象画像としては、写真や、イラスト等が該当しうるが、以下に示す実施の形態では全て写真を例に説明する。
【００６８】
まず、組版端末５に取り込まれた紙面データ７１のうち、先頭の素材が、画像識別部５２によって対象とされる（Ｓ１１）。次に、画像識別部５２によって、素材種別７１ＳＢから、この素材の種別が画像であるか否かが識別される（Ｓ１２）。そして、画像である場合（Ｓ１２：Ｙｅｓ）には、配置情報７１ＦＬから、この素材が配置済であるか否かが識別される（Ｓ１３）。そして、配置済である場合（Ｓ１３：Ｙｅｓ）には、画像区分７１ＧＫから、この素材が写真であるかが識別される（Ｓ１４）。そして、写真である場合（Ｓ１４：Ｙｅｓ）には、対象画像区分７１ＪＢから、この写真が対象画像であるか否かが識別される（Ｓ１５）。
【００６９】
そして、対象画像である場合（Ｓ１５：Ｙｅｓ）には、配置情報把握部５５によって、配置位置座標７１ＬＭと配置領域寸法７１ＳＺとからこの素材の紙面１００における配置領域が把握される。更に検出部５６によって、この把握された配置領域と折り目位置の座標とから、配置領域と折り目位置とが重なるか否かが判定される（Ｓ１６）。そして、重なるものと判定された場合（Ｓ１７：Ｙｅｓ）には、この素材の素材ＩＤ番号７１ＩＤが検出部５６によって記録される（Ｓ１８）。
【００７０】
そして、全ての素材情報が処理され（Ｓ１９：Ｙｅｓ）、折り目と重なる対象画像が検出部５６に記録されているのであれば（Ｓ２０：Ｙｅｓ）、この記録されている対象画像の素材ＩＤ番号７１ＩＤが表示画面５４から表示される（Ｓ２１）。一方、ステップＳ２０において記録されていないのであれば（Ｓ２０：Ｎｏ）、対象画像が折り目位置と重ならないことを意味するメッセージが表示画面５４から表示される（Ｓ２２）。
【００７１】
一方、ステップＳ１９において未処理の素材情報がある場合（Ｓ１９：Ｎｏ）には、次の素材情報が対象とされて（Ｓ２３）、ステップＳ１２に移行する。
【００７２】
また、ステップＳ１７において、配置位置と折り目位置とが重ならないと判定された場合（Ｓ１７：Ｎｏ）、ステップＳ１５において、この写真が対象画像でない場合（Ｓ１５：Ｎｏ）、ステップＳ１４において、この素材が写真ではない場合（Ｓ１４：Ｎｏ）、ステップＳ１３において、配置済ではない場合（Ｓ１３：Ｎｏ）、ステップＳ１２において、素材の種別が画像ではない場合（Ｓ１２：Ｎｏ）にはステップＳ１９に移行する。
【００７３】
このようにして、表示画面５４から、折り目位置と重なって配置されている対象画像を検出することができる。
【００７４】
次に、折り目位置上に配置された対象画像を、折り目位置上に配置されないように移動させる配置位置変更部５７でなされる処理の流れについて図２０乃至図２５に示すフローチャートを用いて説明する。
【００７５】
配置位置変更部５７でなされる処理は、図１９のフローチャートにおけるステップＳ１６の後にステップＳ１７及びステップＳ１８と並行して行われる。すなわち、ステップＳ１６において該当素材の配置領域が折れ目と重なるか調べられると、ステップＳ３１では、該当の対象画像の配置領域が縦線の折れ目と重なるか否かが判定される（Ｓ３１）。重ならないと判定された場合（Ｓ３１：Ｎｏ）には、次に、横線の折れ目と重なるか否かが判定される（Ｓ３２）。重ならないと判定され（Ｓ３２：Ｎｏ）、全ての素材情報が処理された場合（Ｓ３３：Ｙｅｓ）には、処理を終了する。一方、ステップＳ３３において未処理の素材情報がある場合（Ｓ３３：Ｎｏ）には、次の素材情報が対象とされて（Ｓ３４）、ステップＳ１２に移行する。
【００７６】
一方、ステップＳ３２において、横線の折れ目と重なると判定された場合（Ｓ３２：Ｙｅｓ）には、横線の折り目位置と重なった画像のＹ方向移動量ＹＵ（上方向移動量）／ＹＤ（下方向移動量）が計算される（Ｓ３５）。上方向移動量ＹＵ及び下方向移動量ＹＤは、図２２及び図２６に示すように、横線の折り目のＹ方向座標ＹＰから画像の配置領域のＹ方向始点座標ＹＳを減じることによって、画像の配置領域のＹ方向終点座標ＹＥから横線の折り目のＹ方向座標ＹＰを減じることによってそれぞれ求められる。
【００７７】
次に、画像の配置位置のＹ方向座標が修正される（Ｓ３６）。これは、図２３に示すように、上方向移動量ＹＵが、下方向移動量ＹＤよりも大きい場合（Ｓ５１：Ｙｅｓ）には、上方向に移動させるように、現在の配置開始位置Ｙ座標から下方向移動量ＹＤにオペレータ操作量β（任意の値）を加えた値を減じることによって、新たな配置開始Ｙ座標とされる（Ｓ５２）。一方、上方向移動量ＹＵが、下方向移動量ＹＤよりも大きくない場合（Ｓ５１：Ｎｏ）には、下方向に移動させるように、現在の配置開始位置Ｙ座標に下方向移動量ＹＤにオペレータ操作量βを加えた値を加えることによって、新たな配置開始Ｙ座標とされる（Ｓ５３）。その後、ステップＳ３３に移行する。
【００７８】
一方、ステップＳ３１において、該当の対象画像の配置領域が縦線の折れ目と重なると判定された場合（Ｓ３１：Ｙｅｓ）には、該当の対象画像の配置領域が横線の折り目と重なるか否かが判定される（Ｓ３７）。そして、重ならないと判定された場合（Ｓ３７：Ｎｏ）には、縦線の折り目位置と重なった画像のＸ方向移動量ＸＲ（右方向移動量）／ＸＬ（左方向移動量）の値が計算される（Ｓ３８）。右方向移動量ＸＲ及び左方向移動量ＸＬは、図２４及び図２６に示すように、縦線の折り目のＸ方向座標ＸＰから画像の配置領域のＸ方向始点座標ＸＳを減じることによって、画像の配置領域のＸ方向終点座標ＸＥから縦線の折り目のＸ方向座標ＸＰを減じることによってそれぞれ求められる。
【００７９】
次に、画像の配置位置のＸ方向座標が修正される（Ｓ３９）。これは、図２５に示すように、右方向移動量ＸＲが、左方向移動量ＸＬよりも大きい場合（Ｓ６１：Ｙｅｓ）には、右方向に移動させるように、現在の配置開始位置Ｘ座標から右方向移動量ＸＲにオペレータ操作量α（任意の値）を加えた値を減じることによって、新たな配置開始Ｘ座標とされる（Ｓ６２）。一方、右方向移動量ＸＲが、左方向移動量ＸＬよりも大きくない場合（Ｓ６１：Ｎｏ）には、左方向に移動させるように、現在の配置開始位置Ｘ座標に右方向移動量ＸＲにオペレータ操作量αを加えた値を加えることによって、新たな配置開始Ｘ座標とされる（Ｓ６３）。その後、ステップＳ３３に移行する。
【００８０】
一方、ステップＳ３７において、該当の対象画像の配置領域が横線の折り目と重なるか否かが判定される（Ｓ３７）。そして、重なると判定された場合（Ｓ３７：Ｙｅｓ）には、図２４に示すように縦線の折り目位置と重なった画像の右方向移動量ＸＲ及び左方向移動量ＸＬの値が計算される（Ｓ４０）。次に、図２２に示すように、横線の折り目位置と重なった画像の上方向移動量ＹＵ及び下方向移動量ＹＤの値が計算される（Ｓ４１）。更に、図２５に示すように、画像の配置位置のＸ方向座標が修正され（Ｓ４２）、更にまた、図２３に示すように、画像の配置位置のＹ方向座標が修正される（Ｓ４３）。
【００８１】
このようにして、折り目位置上に配置された対象画像を、折り目位置上に配置されない位置に配置変更することができる。
【００８２】
次に、折り目位置上に重なって配置されている対象画像について、対象画像に含まれる対象物が折り目位置上に重なって配置されているか否かを判定する処理の動作について説明する。
【００８３】
折り目位置上に重なって配置されている対象画像について、対象画像に含まれる対象物が折り目位置上に重なって配置されているか否かを判定するためには、画像に関する素材情報を、図２７に示すようなデータ構成とする。このデータ構成は、例えば図６に示すような画像の素材情報７１３のデータ項目に更に、対象物の部分領域件数７１ＪＢ０と、対象物領域座標７１ＪＢＬＸ，７１ＪＢＬＹと、対象物領域寸法７１ＪＢＳＸ、７１ＪＢＳＹとを追加した構成としている。図２７に示す例では、対象物の部分領域件数７１ＪＢ０＝２が設定されているので、対象物領域座標７１ＪＢＬＸ，７１ＪＢＬＹとして７１ＪＢＬＸ１，７１ＪＢＬＹ１及び７１ＪＢＬＸ２，７１ＪＢＬＹ２の２つが、対象物領域寸法７１ＪＢＳＸ、７１ＪＢＳＹとして７１ＪＢＳＸ１、７１ＪＢＳＹ１及び７１ＪＢＳＸ２、７１ＪＢＳＹ２の２つがそれぞれ定義されている。なお、対象物の部分領域件数７１ＪＢ０＝０である場合には、対象物領域座標７１ＪＢＬＸ，７１ＪＢＬＹと、対象物領域寸法７１ＪＢＳＸ、７１ＪＢＳＹとは不要である。
【００８４】
このような構成からなる素材情報を持つ紙面データ７１に対して組版端末５によってなされるレイアウト処理について、図２８に示すフローチャートを用いて説明する。
【００８５】
まず、指定された画像（例えば画像ウ）に対する紙面データ７１の素材情報（例えば素材情報７１３）が探索される（Ｓ７１）。そして、対象画像区分７１ＪＢの指定が「非該当」であるか否かが判定される（Ｓ７２）。そして、対象画像区分７１ＪＢの指定が「非該当」ではない場合（Ｓ７２：Ｎｏ）には、対象画像区分７１ＪＢの指定が「全体該当」であるか否かが判定される（Ｓ７３）。そして、対象画像区分７１ＪＢの指定が「全体該当」ではない場合（Ｓ７３：Ｎｏ）には、対象画像区分７１ＪＢの指定が「部分該当」であるか否かが判定される（Ｓ７４）。そして、対象画像区分７１ＪＢの指定が「部分該当」ではない場合（Ｓ７４：Ｎｏ）には、処理が終了する。
【００８６】
一方、ステップＳ７４において、対象画像区分７１ＪＢの指定が「部分該当」である場合（Ｓ７４：Ｙｅｓ）には、部分領域件数７１ＪＢ０が指定され、更に対象物領域の配置位置相対Ｘ座標７１ＪＢＬＸ、配置位置相対Ｙ座標７１ＪＢＬＹ、Ｘ方向寸法７１ＪＢＳＸ、Ｙ方向寸法７１ＪＢＳＹが部分領域件数７１ＪＢ０の数指定され（Ｓ７５）、処理が終了する。
【００８７】
一方、ステップＳ７３において、対象画像区分７１ＪＢの指定が「全体該当」である場合（Ｓ７３：Ｙｅｓ）には、対象物の部分領域件数７１ＪＢ０として「０」が書き込まれ（Ｓ７６）、処理が終了する。
【００８８】
一方、ステップＳ７２において、対象画像区分７１ＪＢの指定が「非該当」ではない場合（Ｓ７２：Ｎｏ）には、対象物の部分領域件数７１ＪＢ０として「０」が書き込まれ（Ｓ７７）、処理が終了する。
【００８９】
次に、折り目位置上に配置された対象物の検出処理の流れについて図２９乃至図３２に示すフローチャートを用いて説明する。
【００９０】
まず、組版端末５に取り込まれた紙面データ７１のうち、先頭の素材が、画像識別部５２によって対象とされる（Ｓ８１）。次に、画像識別部５２によって、素材種別７１ＳＢから、この素材の種別が画像であるか否かが識別される（Ｓ８２）。そして、画像である場合（Ｓ８２：Ｙｅｓ）には、配置情報７１ＦＬから、この素材が配置済であるか否かが識別される（Ｓ８３）。そして、配置済である場合（Ｓ８３：Ｙｅｓ）には、画像区分７１ＧＫから、この素材が写真であるかが識別される（Ｓ８４）。そして、写真である場合（Ｓ８４：Ｙｅｓ）には、対象画像区分７１ＪＢから、この写真が対象画像であるか否かが識別される（Ｓ８５）。
【００９１】
そして、対象画像ではない場合（Ｓ８５：Ｎｏ）には、対象画像区分７１ＪＢが「全体該当」であるか否かが識別される（Ｓ８６）。そして、「全体該当」ではない場合（Ｓ８６：Ｎｏ）には、対象画像区分７１ＪＢが「部分該当」であるか否かが識別される（Ｓ８７）。そして、「部分該当」ではない場合（Ｓ８７：Ｎｏ）には、全ての素材情報を処理したか否かが判定される（Ｓ８８）。そして、未だに処理されていない素材情報がある場合（Ｓ８８：Ｎｏ）には、次の素材情報が対象とされ（Ｓ８９）、ステップＳ８２に移行する。
【００９２】
一方、全ての素材情報が処理された場合（Ｓ８８：Ｙｅｓ）には、折り目と重なる対象画像が検出部５６に記録されているか否かが判定される（Ｓ１００）。そして、記録されている（Ｓ１００：Ｙｅｓ）のであれば、この記録されている対象画像の素材ＩＤ番号７１ＩＤ、対象物領域の番号が表示画面５４から表示される（Ｓ１０１）。一方、ステップＳ１００において記録されていないのであれば（Ｓ１００：Ｎｏ）、対象画像が折り目位置と重ならないことを意味するメッセージが表示画面５４から表示される（Ｓ１０２）。
【００９３】
一方、ステップＳ８７において、そして、「部分該当」であると判定された場合（Ｓ８７：Ｙｅｓ）には、配置情報把握部５５によって、対象物領域の配置位置相対Ｘ座標７１ＪＢＬＸ、配置位置相対Ｙ座標７１ＪＢＬＹ、Ｘ方向寸法７１ＪＢＳＸ、Ｙ方向寸法７１ＪＢＳＹが処理対象とされる（Ｓ９０）。そして、対象物領域の配置位置相対座標７１ＪＢＬＸ，７１ＪＢＬＹが、紙面１００内の配置位置座標値に変換される（Ｓ９１）。
【００９４】
そして、検出部５６によって、対象物の配置位置が、折り目位置と重なるか否かが判定される（Ｓ９２）。そして、重なると判定された場合（Ｓ９３：Ｙｅｓ）には、この素材の素材ＩＤ番号７１ＩＤと、対象物のシリアル番号とが検出部５６によって記録される（Ｓ９４）。
【００９５】
そして、処理対象の対象物領域の全てが処理されたか否かが判定される（Ｓ９５）。そして、未だに処理されていない対象物領域がある場合（Ｓ９５：Ｎｏ）には、次の対象物領域の配置位置相対Ｘ座標７１ＪＢＬＸ、配置位置相対Ｙ座標７１ＪＢＬＹ、Ｘ方向寸法７１ＪＢＳＸ、Ｙ方向寸法７１ＪＢＳＹが処理対象とされ（Ｓ９６）、ステップＳ９１に移行する。
【００９６】
一方、処理対象の対象物領域の全てが処理された場合（Ｓ９５：Ｙｅｓ）には、ステップＳ８８に移行する。また、ステップＳ９２において、検出部５６によって、対象物の配置位置が、折り目位置と重なるか否かが判定され、重ならないと判定された場合（Ｓ９３：Ｎｏ）には、ステップＳ９５に移行する。
【００９７】
また、ステップＳ８６において、「全体該当」である場合（Ｓ８６：Ｙｅｓ）には、該当素材の配置領域が折り目と重なるかが調べられる（Ｓ９７）。そして、折り目と重なる場合（Ｓ９８：Ｙｅｓ）には、該当素材の素材ＩＤ番号が検出部５６に記録され（Ｓ９９）、ステップＳ８８に移行する。
【００９８】
一方、ステップＳ９８において折り目と重ならない場合（Ｓ９８：Ｎｏ）、ステップＳ８５において対象画像である場合（Ｓ８５：Ｙｅｓ）、ステップＳ８４において写真ではない場合（Ｓ８４：Ｎｏ）、ステップＳ８３において配置済ではない場合（Ｓ８３：Ｎｏ）、ステップＳ８２において画像ではない場合（Ｓ８２：Ｎｏ）には、何れもステップＳ８８に移行する。
【００９９】
このようにして、折り目位置と重なって配置されている対象画像のみならず、折り目位置と重なって配置されている対象物を検出することができる。
【０１００】
次に、折り目位置上に対象物が配置されないように、対象画像の配置位置座標７１ＬＭを変更する場合における処理の動作について図３３乃至図３７に示すフローチャートを用いて説明する。この場合、折り目位置上に対象画像の一部が配置されていても、対象画像の配置位置座標を変更することによって、折り目位置上に対象物が配置されないようにされる。
【０１０１】
まず、組版端末５に取り込まれた紙面データ７１のうち、先頭の素材が、画像識別部５２によって対象とされる（Ｓ１１１）。次に、画像識別部５２によって、素材種別７１ＳＢから、この素材の種別が画像であるか否かが識別される（Ｓ１１２）。そして、画像である場合（Ｓ１１２：Ｙｅｓ）には、配置情報７１ＦＬから、この素材が配置済であるか否かが識別される（Ｓ１１３）。そして、配置済である場合（Ｓ１１３：Ｙｅｓ）には、画像区分７１ＧＫから、この素材が写真であるかが識別される（Ｓ１１４）。そして、写真である場合（Ｓ１１４：Ｙｅｓ）には、対象画像区分７１ＪＢから、この写真が「非該当」であるか否かが識別される（Ｓ１１５）。
【０１０２】
そして、「非該当」ではない場合（Ｓ１１５：Ｎｏ）には、対象画像区分７１ＪＢから、「全体該当」であるか否かが識別される（Ｓ１１６）。そして、「全体該当」ではない場合（Ｓ１１６：Ｎｏ）には、対象画像区分７１ＪＢが「部分該当」であるか否かが識別される（Ｓ１１７）。そして、「部分該当」ではない場合（Ｓ１１７：Ｎｏ）には、全ての素材情報を処理したか否かが判定される（Ｓ１１８）。そして、未だに処理されていない素材情報がある場合（Ｓ１１８：Ｎｏ）には、次の素材情報が対象とされ（Ｓ１１９）、ステップＳ１１２に移行する。一方、全ての素材情報が処理された場合（Ｓ１１８：Ｙｅｓ）には、処理を終了する。
【０１０３】
一方、ステップＳ１１７において、「部分該当」である場合（Ｓ１１７：Ｙｅｓ）には、配置情報把握部５５によって、対象物領域の配置位置相対Ｘ座標７１ＪＢＬＸ、配置位置相対Ｙ座標７１ＪＢＬＹ、Ｘ方向寸法７１ＪＢＳＸ、Ｙ方向寸法７１ＪＢＳＹが処理対象とされる（Ｓ１２０）。そして、対象物領域の配置位置相対座標７１ＪＢＬＸ，７１ＪＢＬＹが、紙面１００内の配置位置座標値に変換される（Ｓ１２１）。
【０１０４】
そして、検出部５６によって、対象物の配置位置が、縦線の折り目位置と重なるか否かが判定される（Ｓ１２２）。そして、重ならないと判定された場合（Ｓ１２２：Ｎｏ）には、更に、対象物の配置位置が、横線の折り目位置と重なるか否かが判定される（Ｓ１２３）。そして、重ならないと判定された場合（Ｓ１２３：Ｎｏ）には、処理対象の対象物領域の全てが処理されたか否かが判定される（Ｓ１２４）。そして、未だに処理されていない対象物領域がある場合（Ｓ１２４：Ｎｏ）には、次の対象物領域の配置位置相対Ｘ座標７１ＪＢＬＸ、配置位置相対Ｙ座標７１ＪＢＬＹ、Ｘ方向寸法７１ＪＢＳＸ、Ｙ方向寸法７１ＪＢＳＹが処理対象とされ（Ｓ１２５）、ステップＳ１２１に移行する。
【０１０５】
一方、処理対象の対象物領域の全てが処理された場合（Ｓ１２４：Ｙｅｓ）には、ステップＳ１１８に移行する。また、ステップＳ１２３において、対象物の配置位置が、横線折り目位置と重なると判定された場合（Ｓ１２３：Ｎｏ）には、配置位置変更部５７によって、図３８乃至図３９のフローチャートに従って動作することにより、写真が現在位置から上側又は下側に平行移動され、当該写真の対象物領域が横線の折り目位置と重ならなくなる上方向移動量最小値ＹＵ、下方向移動量最小値ＹＤの値が計算される（Ｓ１２６）。なお、図３８乃至図３９のフローチャートの説明は後述する。
【０１０６】
そして、ステップＳ１２６でなされた計算結果に基づいて、写真の配置位置のＹ方向座標が修正される（Ｓ１２７）。具体的な修正方法は、図２３のフローチャートで説明した通りである。その後、ステップＳ１１８の処理に移行する。
【０１０７】
一方、ステップＳ１２２において、縦線の折り目位置と重なると判定された場合（Ｓ１２２：Ｙｅｓ）には、該当の対象物領域が横線の折り目と重なるか否かが判定される（Ｓ１２８）。そして、重ならないと判定された場合（Ｓ１２８：Ｎｏ）には、配置位置変更部５７によって、図４０乃至図４１のフローチャートに従って動作することにより、写真が現在位置から右側又は左側に平行移動され、当該写真の対象物領域が縦線の折り目位置と重ならなくなる右方向移動量最小値ＸＲ、左方向移動量最小値ＸＬの値が計算される（Ｓ１２９）。なお、図４０乃至図４１のフローチャートの説明は後述する。
【０１０８】
そして、ステップＳ１２９でなされた計算結果に基づいて、写真の配置位置のＸ方向座標が修正される（Ｓ１３０）。具体的な修正方法は、図２５のフローチャートで説明した通りである。その後、ステップＳ１１８の処理に移行する。
【０１０９】
一方、ステップＳ１２８において、横線の折り目と重なると判定された場合（Ｓ１２８：Ｙｅｓ）には、配置位置変更部５７によって、図４０乃至図４１のフローチャートに従って動作することにより、写真が現在位置から右側又は左側に平行移動され、当該写真の対象物領域が縦線の折り目位置と重ならなくなる右方向移動量最小値ＸＲ、左方向移動量最小値ＸＬの値が計算される（Ｓ１４２）。
【０１１０】
更に、図３８乃至図３９のフローチャートに従って動作することにより、写真が現在位置から上側又は下側に平行移動され、当該写真の対象物領域が横線の折り目位置と重ならなくなる上方向移動量最小値ＹＵ、下方向移動量最小値ＹＤの値が計算される（Ｓ１４３）。
【０１１１】
そして、ステップＳ１４２でなされた計算結果に基づいて、写真の配置位置のＸ方向座標が修正される（Ｓ１４４）。具体的な修正方法は、図２５のフローチャートで説明した通りである。また、ステップＳ１４３でなされた計算結果に基づいて、写真の配置位置のＹ方向座標が修正される（Ｓ１４５）。具体的な修正方法は、図２３のフローチャートで説明した通りである。その後、ステップＳ１１８の処理に移行する。
【０１１２】
一方、ステップＳ１１６において、「全体該当」である場合（Ｓ１１６：Ｙｅｓ）には、該当素材の配置領域が縦線の折り目と重なるか否かが判定される（Ｓ１３１）。そして、重ならない場合（Ｓ１３１：Ｎｏ）には、更に横線の折り目と重なるか否かが判定される（Ｓ１３２）。そして、重ならない場合（Ｓ１３２：Ｎｏ）には、ステップＳ１１８の処理に移行する。一方、重なる場合（Ｓ１３２：Ｙｅｓ）には、配置位置変更部５７によって、横線の折り目位置と重なった写真のＹ方向移動量ＹＵ／ＹＤの値が計算される（Ｓ１３３）。具体的な修正方法は、図２２のフローチャートで説明した通りである。
【０１１３】
そして、ステップＳ１３３でなされた計算結果に基づいて、写真の配置位置のＹ方向座標が修正される（Ｓ１３４）。具体的な修正方法は、図２３のフローチャートで説明した通りである。その後、ステップＳ１１８の処理に移行する。
【０１１４】
一方、ステップＳ１３１において、該当素材の配置領域が縦線の折り目と重なると判定され（Ｓ１３１：Ｙｅｓ）たものの、横線の折り目とは重ならないと判定された場合（Ｓ１３５：Ｎｏ）には、配置位置変更部５７によって、縦線の折り目位置と重なった写真のＸ方向移動量ＸＲ／ＸＬの値が計算される（Ｓ１３６）。具体的な修正方法は、図２４のフローチャートで説明した通りである。
【０１１５】
そして、ステップＳ１３６でなされた計算結果に基づいて、写真の配置位置のＸ方向座標が修正される（Ｓ１３７）。具体的な修正方法は、図２５のフローチャートで説明した通りである。その後、ステップＳ１１８の処理に移行する。
【０１１６】
一方、ステップＳ１３５において、該当素材の配置領域が横線の折り目と重なると判定された場合（Ｓ１３５：Ｙｅｓ）には、配置位置変更部５７によって、縦線の折り目位置と重なった写真のＸ方向移動量ＸＲ／ＸＬの値が計算される（Ｓ１３８）。具体的な修正方法は、図２４のフローチャートで説明した通りである。更に、横線の折り目位置と重なった写真のＹ方向移動量ＹＵ／ＹＤの値が計算される（Ｓ１３９）。具体的な修正方法は、図２２のフローチャートで説明した通りである。
【０１１７】
そして、ステップＳ１３８でなされた計算結果に基づいて、写真の配置位置のＸ方向座標が修正される（Ｓ１４０）。具体的な修正方法は、図２５のフローチャートで説明した通りである。更に、ステップＳ１３９でなされた計算結果に基づいて、写真の配置位置のＹ方向座標が修正される（Ｓ１４１）。具体的な修正方法は、図２３のフローチャートで説明した通りである。その後、ステップＳ１１８の処理に移行する。
【０１１８】
また、ステップＳ１１５において対象画像区分が「非該当」である場合（Ｓ１１５：Ｙｅｓ）、ステップＳ１１４において画像区分が写真ではない場合（Ｓ１１４：Ｎｏ）、ステップＳ１１３において配置済ではない場合（Ｓ１１３：Ｎｏ）、ステップＳ１１２において画像ではない場合（Ｓ１１２：Ｎｏ）には、何れもステップＳ１１８の処理に進む。
【０１１９】
このようにして、折り目位置上に対象物が配置されないように、対象画像の配置位置座標を変更することができる。これによって、折り目位置上に対象画像の一部が配置されていても、対象物を折り目位置上に配置しないようにすることができる。
【０１２０】
本実施の形態に係る組版システムでは、上述したような機能を、以下に説明するように、小組を含む紙面についても同様に実現することができる。
【０１２１】
紙面に小組が含まれる場合、紙面データ７１は、例えば図４２に示すような素材種別７１ＳＢ（＝小組）である素材情報７１９、図４３に示すような小組用管理情報７２０、図４４乃至図４６に示すような小組用素材情報７２１〜７２３、図４７に示すような小組用素材実体７２６を含む。
【０１２２】
本実施の形態に係る組版システムは、紙面データ７１に、このような素材種別７１ＳＢ（＝小組）である素材情報７１９を更に追加することによって、小組もまた他の素材同様に、紙面に配置することが可能となる。
【０１２３】
小組用管理情報７２０は、掲載年月日７２ＫＮ、面名７２ＭＮ、版名７２ＨＮ、小組区分７２ＫＢ、小組の素材ＩＤ番号７２ＩＤ、小組の仮見出７２ＫＭ、体裁情報７２ＴＳ、小組Ｘ方向寸法７２ＰＸ、小組Ｙ方向寸法７２ＰＹからなる。なお、体裁情報７２ＴＳとは、組方向、段数、字詰、文字サイズ、段間、行間などの定義情報である。
【０１２４】
小組用素材情報７２１〜７２３は、小組に配置する素材のための素材情報であって、そのデータ構成は、素材の種別に応じて素材情報７１１〜７１８と同様であるので、ここでは説明を省略する。また、小組用素材実体７２６のデータ構成もまた、素材実体７２５と同様であるので、説明を省略する。
【０１２５】
以下に、折り目位置上に配置された小組内画像の検出処理の流れについて図４８乃至図５１に示すフローチャートを用いて説明する。
【０１２６】
まず、組版端末５に取り込まれた小組に関する素材情報７１９を含む紙面データ７１のうち、先頭の素材が、画像識別部５２によって対象とされる（Ｓ１５１）。次に、画像識別部５２によって、素材種別７１ＳＢから、この素材の種別が小組であるか否かが識別される（Ｓ１５２）。そして、小組である場合（Ｓ１５２：Ｙｅｓ）には、配置情報７１ＦＬから、この小組が配置済であるか否かが識別される（Ｓ１５３）。そして、配置済である場合（Ｓ１５３：Ｙｅｓ）には、検出部５６によって、該当小組の配置領域が、折り目と重なるか否かが判定される（Ｓ１５４）。そして、重なると判定された場合（Ｓ１５５：Ｙｅｓ）には、該当小組の小組用素材情報７２１〜７２３が読み込まれる（Ｓ１５６）。そして、折り目の座標値が、小組内の相対座標に変換され（Ｓ１５７）、小組用素材情報７２１〜７２３の素材情報の先頭素材である小組用素材情報７２１が処理対象とされる（Ｓ１５８）。
【０１２７】
そして、画像識別部５２によって、素材種別７２ＳＢから、この素材の種別が画像であるか否かが識別される（Ｓ１５９）。そして、画像である場合（Ｓ１５９：Ｙｅｓ）には、配置情報７２ＦＬから、この素材が配置済であるか否かが識別される（Ｓ１６０）。そして、配置済である場合（Ｓ１６０：Ｙｅｓ）には、画像区分７２ＧＫから、この素材が写真であるかが識別される（Ｓ１６１）。そして、写真である場合（Ｓ１６１：Ｙｅｓ）には、対象画像区分７２ＪＢに該当しているか否かが識別される（Ｓ１６２）。そして、該当する場合（Ｓ１６２：Ｙｅｓ）には、該当画像の素材の配置領域が折り目と重なるか否かが判定される（Ｓ１６３）。
【０１２８】
そして、重なると判定された場合（Ｓ１６４：Ｙｅｓ）には、該当小組と該当画像の素材ＩＤ番号７２ＩＤが検出部５６によって記録される（Ｓ１６５）。そして、未処理の小組用素材情報がある場合（Ｓ１６６：Ｎｏ）には、次の小組用素材情報が対象とされて（Ｓ１６７）、ステップＳ１５９の処理に移行する。一方、全ての小組用素材情報が処理された場合（Ｓ１６６：Ｙｅｓ）には、更に全ての素材情報が処理されたかが調べられる（Ｓ１６８）。
【０１２９】
そして、未処理の素材情報がある場合（Ｓ１６８：Ｎｏ）には、次の素材情報が対象とされ（Ｓ１６９）、ステップＳ１５２の処理に移行する。一方、全ての素材情報が処理された場合（Ｓ１６８：Ｙｅｓ）には、折り目と重なる対象画像が検出部５６に記録されているか否かが判定される（Ｓ１７０）。そして、記録されている（Ｓ１７０：Ｙｅｓ）のであれば、この記録されている対象画像の素材ＩＤ番号７１ＩＤが表示画面５４から表示される（Ｓ１７１）。一方、ステップＳ１７０において記録されていないのであれば（Ｓ１７０：Ｎｏ）、対象画像が折り目位置と重ならないことを意味するメッセージが表示画面５４から表示される（Ｓ１７２）。
【０１３０】
一方、ステップＳ１６４において、折り目と重ならない場合（Ｓ１６４：Ｎｏ）、ステップＳ１６２において該当しない場合（Ｓ１６２：Ｎｏ）、ステップＳ１６１において写真ではない場合（Ｓ１６１：Ｎｏ）、ステップＳ１６０において配置済ではない場合（Ｓ１６０：Ｎｏ）、ステップＳ１５９において画像ではない場合（Ｓ１５９：Ｎｏ）にはステップＳ１６６の処理に移行する。
【０１３１】
また、また、ステップＳ１５５において重ならない場合（Ｓ１５５：Ｎｏ）、ステップＳ１５３において配置済ではない場合（Ｓ１５３：Ｎｏ）、ステップＳ１５２において小組ではない場合（Ｓ１５２：Ｎｏ）には、ステップＳ１６８の処理に移行する。
【０１３２】
このようにして、折り目位置上に配置された小組内画像を検出することができる。
【０１３３】
次に、折り目位置上に配置された小組内の対象画像内の対象物の検出処理の流れについて図５２乃至図５６に示すフローチャートを用いて説明する。
【０１３４】
小組内の対象画像内の対象物を検出するためには、素材情報７２４を、例えば図５７に示すように、図４６に示す小組用素材情報７２３のデータ項目に、対象物の部分領域件数７２ＪＢ０と、対象物領域配置位置相対座標７２ＪＢＬと、対象物領域寸法７２ＪＢＳとを付加したデータ構成とする。
【０１３５】
まず、組版端末５に取り込まれた紙面データ７１のうち、先頭の素材が、画像識別部５２によって対象とされる（Ｓ１８１）。次に、画像識別部５２によって、素材種別７１ＳＢから、この素材の種別が小組であるか否かが識別される（Ｓ１８２）。そして、小組である場合（Ｓ１８２：Ｙｅｓ）には、配置情報７２ＦＬから、この素材が配置済であるか否かが識別される（Ｓ１８３）。そして、配置済である場合（Ｓ１８３：Ｙｅｓ）には、検出部５６によって、当該小組の配置位置が、折り目位置と重なるか否かが判定される（Ｓ１８４）。そして、重なると判定された場合（Ｓ１８５：Ｙｅｓ）には、該当小組の小組用素材情報が読み込まれる（Ｓ１８６）。
【０１３６】
そして、折り目の座標値が、小組内の相対座標に変換され（Ｓ１８７）、小組用素材情報７２１〜７２３の素材情報の先頭素材である小組用素材情報７２１が処理対象とされる（Ｓ１８８）。
【０１３７】
そして、画像識別部５２によって、素材種別７２ＳＢから、この素材の種別が画像であるか否かが識別される（Ｓ１８９）。そして、画像である場合（Ｓ１８９：Ｙｅｓ）には、配置情報７２ＦＬから、この素材が配置済であるか否かが識別される（Ｓ１９０）。そして、配置済である場合（Ｓ１９０：Ｙｅｓ）には、画像区分７２ＧＫから、この素材が写真であるかが識別される（Ｓ１９１）。そして、写真である場合（Ｓ１９１：Ｙｅｓ）には、対象画像区分７２ＪＢは非該当であるか否かが識別される（Ｓ１９２）。
【０１３８】
そして、非該当ではない場合（Ｓ１９２：Ｎｏ）には、対象画像区分７２ＪＢが全体該当であるか否かが識別される（Ｓ１９３）。そして、全体該当ではない場合（Ｓ１９３：Ｎｏ）には、対象画像区分７２ＪＢが部分該当であるか否かが識別される（Ｓ１９４）。そして、部分該当である場合（Ｓ１９４：Ｙｅｓ）には、配置情報把握部５５によって、対象物領域の配置位置相対Ｘ座標７２ＪＢＬＸ、配置位置相対Ｙ座標７２ＪＢＬＹ、Ｘ方向寸法７２ＪＢＳＸ、Ｙ方向寸法７２ＪＢＳＹが処理対象とされる（Ｓ１９５）。そして、対象物領域の配置位置相対座標７２ＪＢＬＸ，７２ＪＢＬＹが、紙面１００内の配置位置座標値に変換される（Ｓ１９６）。
【０１３９】
そして、この対象物領域が折り目と重なるか否かが判定される（Ｓ１９７）。そして、重なると判定された場合（Ｓ１９８：Ｙｅｓ）には、該当画像の素材ＩＤ番号７２ＩＤと対象物領域のシリアル番号とが検出部５６によって記録される（Ｓ１９９）。そして、未処理の対象物領域がある場合（Ｓ２００：Ｎｏ）には、配置情報把握部５５によって、次の対象物領域の配置位置相対Ｘ座標７２ＪＢＬＸ、配置位置相対Ｙ座標７２ＪＢＬＹ、Ｘ方向寸法７２ＪＢＳＸ、Ｙ方向寸法７２ＪＢＳＹが処理対象とされる（Ｓ２０１）。しかる後に、ステップＳ１９６の処理に移行する。
【０１４０】
一方、ステップＳ１９３において、全体該当である場合（Ｓ１９３：Ｙｅｓ）には、検出部５６によって該当画像の素材の配置領域が折り目と重なるかが調べられる（Ｓ２０２）。そして、該当画像の素材の配置領域が折り目と重なる場合（Ｓ２０３：Ｙｅｓ）には、該当小組と該当画像の素材ＩＤ番号７２ＩＤが検出部５６に記録される（Ｓ２０４）。
【０１４１】
そして、未処理の小組用素材情報が存在する場合（Ｓ２０５：Ｎｏ）には、次の小組用素材情報が対象とされ（Ｓ２０６）、ステップＳ１８９の処理に移行する。一方、全ての小組用素材情報が処理された場合（Ｓ２０５：Ｙｅｓ）には、更に、全ての素材情報について処理されたか否かが調べられる（Ｓ２０７）。そして、未処理の素材情報がある場合（Ｓ２０７：Ｎｏ）には、次の素材が対象とされ（Ｓ２０８）、ステップＳ１８２の処理に移行する。
【０１４２】
一方、ステップＳ２０７において、全ての素材情報が処理されている場合（Ｓ２０７：Ｙｅｓ）であって、折り目と重なる写真が検出部５６に記録されている場合（Ｓ２０９：Ｙｅｓ）には、この記録されている画像の素材ＩＤ番号７２ＩＤ、対象物領域の番号が表示画面５４から表示され（Ｓ２１０）、処理を終了する。一方、ステップＳ２０９において記録されていないのであれば（Ｓ２０９：Ｎｏ）、対象画像が折り目位置と重ならないことを意味するメッセージが表示画面５４から表示され（Ｓ２１１）、処理を終了する。
【０１４３】
一方、ステップＳ２０３において折り目と重ならない場合（Ｓ２０３：Ｎｏ）、ステップＳ２００において全ての対象物領域を処理している場合（Ｓ２００：Ｙｅｓ）、ステップＳ１９４において部分該当ではない場合（Ｓ１９４：Ｎｏ）、ステップＳ１９２において非該当である場合（Ｓ１９２：Ｙｅｓ）、ステップＳ１９１において写真ではない場合（Ｓ１９１：Ｎｏ）、ステップＳ１９０において配置済ではない場合（Ｓ１９０：Ｎｏ）、ステップＳ１８９において画像ではない場合（Ｓ１８９：Ｎｏ）にはステップＳ２０５の処理に移行する。また、ステップＳ１９８において折り目と重ならない場合（Ｓ１９８：Ｎｏ）には、ステップＳ２００の処理に移行する。
【０１４４】
更には、ステップＳ１８５において折り目と重ならない場合（Ｓ１８５：Ｎｏ）、ステップＳ１８３において配置済ではない場合（Ｓ１８３：Ｎｏ）、ステップＳ１８２において小組ではない場合（Ｓ１８２：Ｎｏ）には、ステップＳ２０７の処理に移行する。
【０１４５】
このようにして、折り目位置と重なって配置されている小組内対象画像のみならず、この対象画像内において折り目位置と重なって配置されている対象物を検出することができる。
【０１４６】
次に、折り目位置上に配置された小組の配置位置を、折り目位置上に配置されないように変更する場合における処理の動作について図５８乃至図６２に示すフローチャートを用いて説明する。
【０１４７】
まず、組版端末５に取り込まれた紙面データ７１のうち、先頭の素材が、画像識別部５２によって対象とされる（Ｓ２２１）。次に、画像識別部５２によって、素材種別７１ＳＢから、この素材の種別が小組であるか否かが識別される（Ｓ２２２）。そして、小組である場合（Ｓ２２２：Ｙｅｓ）には、配置情報７１ＦＬから、この小組が配置済であるか否かが識別される（Ｓ２２３）。そして、配置済である場合（Ｓ２２３：Ｙｅｓ）には、検出部５６によって、この小組の配置位置が、縦線及び横線の折り目位置と重なるか否かが判定される（Ｓ２２４、Ｓ２２５）。
【０１４８】
そして、縦線の折り目と重なっておらず（Ｓ２２６：Ｎｏ）、横線の折り目とも重なっておらず（Ｓ２２７：Ｎｏ）、全ての素材情報が処理された場合（Ｓ２２８：Ｙｅｓ）には、処理を終了する。一方、未処理の素材情報がある場合（Ｓ２２８：Ｎｏ）には、次の素材情報が対象とされ（Ｓ２２９）、ステップＳ２２２の処理に移行する。
【０１４９】
一方、ステップＳ２２７において横線の折り目と重なっている場合（Ｓ２２７：Ｙｅｓ）には、検出部５６によって、小組内の対象画像の配置領域が横線の折り目と重なっているかが調べられる（Ｓ２３０）。具体的な方法については後述する。そして、重なっている場合（Ｓ２３１：Ｙｅｓ）には、対象画像が現在位置から上側又は下側に平行移動され、該当する対象画像の対象物領域が横線の折り目位置と重ならなくなる上方向移動量最小値ＹＵ、及び下方向移動量最小値ＹＤが配置位置変更部５７によって計算される（Ｓ２３２）。具体的な計算方法は、図３８乃至図３９を用いて後述する。
【０１５０】
そして、ステップＳ２３２による計算結果に基づいて配置位置変更部５７によって、小組の配置位置のＹ方向座標が修正され（Ｓ２３３）、しかる後にステップＳ２２８の処理に移行する。一方、ステップＳ２３１において重ならない場合（Ｓ２３１：Ｎｏ）にも、ステップＳ２２８の処理に移行する。
【０１５１】
一方、ステップＳ２２６において重なっており（Ｓ２２６：Ｙｅｓ）、小組の配置位置が横線の折り目と重なっていない場合（Ｓ２３４：Ｎｏ）には、小組内の対象画像の配置領域が縦線の折り目と重なっているかが、検出部５６によって調べられる（Ｓ２３５）。具体的な方法については後述する。
【０１５２】
そして、小組内の対象画像の配置領域が縦線の折り目と重なっている場合（Ｓ２３６：Ｙｅｓ）には、配置位置変更部５７によって、対象画像が現在位置から右側又は左側に平行移動され、該当する対象画像の対象物領域が縦線の折り目位置と重ならなくなる右方向移動量最小値ＸＲ、及び左方向移動量最小値ＸＬが配置位置変更部５７によって計算される（Ｓ２３７）。具体的な計算方法は、図４０乃至図４１を用いて後述する。
【０１５３】
そして、ステップＳ２３７による計算結果に基づいて配置位置変更部５７によって、小組の配置位置のＸ方向座標が修正され（Ｓ２３８）、しかる後にステップＳ２２８の処理に移行する。具体的な計算方法は、図６３を用いて後述する。一方、ステップＳ２３６において重ならない場合（Ｓ２３６：Ｎｏ）にも、ステップＳ２２８の処理に移行する。
【０１５４】
一方、ステップＳ２３４において、重なっている場合（Ｓ２３４：Ｙｅｓ）には、検出部５６によって、小組内の対象画像の配置領域が縦線の折り目と重なっているか否かが調べられ（Ｓ２３９）、更に横線の折り目と重なっているか否かが調べられる（Ｓ２４０）。具体的な方法については後述する。そして、縦線の折り目と重なっておらず（Ｓ２４１：Ｎｏ）、横線の折り目とも重なっていない場合（Ｓ２４２：Ｎｏ）には、ステップＳ２２８の処理に移行する。
【０１５５】
一方、ステップＳ２４２において、横線の折り目と重なる場合（Ｓ２４２：Ｙｅｓ）には、ステップＳ２３２の処理に移行する。また、ステップＳ２４１において、縦線の折り目と重なる場合（Ｓ２４１：Ｙｅｓ）であって、小組内の対象画像の配置領域が横線の折り目と重なる場合（Ｓ２４３：Ｙｅｓ）には、配置位置変更部５７によって、対象画像が現在位置から右側又は左側に平行移動され、該当する対象画像の対象物領域が縦線の折り目位置と重ならなくなる右方向移動量最小値ＸＲ、及び左方向移動量最小値ＸＬが配置位置変更部５７によって計算される（Ｓ２４４）。具体的な計算方法は、図４０乃至図４１を用いて後述する。更に、対象画像が現在位置から上側又は下側に平行移動され、該当する対象画像の対象物領域が横線の折り目位置と重ならなくなる上方向移動量最小値ＹＵ、及び下方向移動量最小値ＹＤが配置位置変更部５７によって計算される（Ｓ２４５）。具体的な計算方法は、図３８乃至図３９を用いて後述する。
【０１５６】
そして、ステップＳ２４４による計算結果に基づいて配置位置変更部５７によって、小組の配置位置のＸ方向座標が修正される（Ｓ２４６）。具体的な計算方法は、図６３を用いて後述する。更に、ステップＳ２４５による計算結果に基づいて配置位置変更部５７によって、小組の配置位置のＹ方向座標が修正される（Ｓ２４７）。具体的な計算方法は、図６４を用いて後述する。しかる後にステップＳ２２８の処理に移行する。
【０１５７】
一方、ステップＳ２４３において、横線の折り目と重ならない場合（Ｓ２４３：Ｎｏ）には、ステップＳ２３７の処理に移行する。また、ステップＳ２２３において配置済ではない場合（Ｓ２２３：Ｎｏ）、ステップＳ２２２において小組ではない場合（Ｓ２２２：Ｎｏ）には、ステップＳ２２８の処理に移行する。
【０１５８】
次に、ステップＳ２３８及びステップＳ２４６においてなされる小組の配置位置のＸ方向座標の修正方法について図６３のフローチャートを用いて説明する。
【０１５９】
まず右方向移動量がＸＲ、左方向移動量がＸＬとされ（Ｓ２５１）、右方向移動量ＸＲと左方向移動量ＸＬとが比較される（Ｓ２５２）。そして、右方向移動量ＸＲが左方向移動量ＸＬよりも大きい場合（Ｓ２５２：Ｙｅｓ）には、配置開始位置Ｘ座標から左方向移動量ＸＬとオペレータによる操作量αとの和を減じた座標位置が、新たな配置開始位置Ｘ座標とされる（Ｓ２５３）。
【０１６０】
一方、ステップＳ２５２において、右方向移動量ＸＲが左方向移動量ＸＬよりも大きく
ない場合（Ｓ２５２：Ｎｏ）には、配置開始位置Ｘ座標に、左方向移動量ＸＬとオペレータによる操作量αとの和を加えた座標位置が、新たな配置開始位置Ｘ座標とされる（Ｓ２５４）。
【０１６１】
次に、ステップＳ２３３及びステップＳ２４７においてなされる小組の配置位置のＹ方向座標の修正方法について図６４のフローチャートを用いて説明する。
【０１６２】
まず上方向移動量がＹＵ、下方向移動量がＹＤとされ（Ｓ２６１）、上方向移動量ＹＵと下方向移動量ＹＤとが比較される（Ｓ２６２）。そして、上方向移動量ＹＵが下方向移動量ＹＤよりも小さい場合（Ｓ２６２：Ｙｅｓ）には、配置開始位置Ｙ座標から上方向移動量ＹＵとオペレータによる操作量βとの和を減じた座標位置が、新たな配置開始位置ＹＸ座標とされる（Ｓ２６３）。
【０１６３】
一方、ステップＳ２６２において、上方向移動量ＹＵが下方向移動量ＹＤよりも小さくない場合（Ｓ２６２：Ｎｏ）には、配置開始位置Ｙ座標に、下方向移動量ＹＤとオペレータによる操作量αとの和を加えた座標位置が、新たな配置開始位置Ｙ座標とされる（Ｓ２６４）。
【０１６４】
次に、ステップＳ２３０及びステップＳ２４０においてなされる横線の折り目との重なりを調べる方法について、図６５乃至図６８のフローチャートを用いて説明する。
【０１６５】
まず、該当小組の小組用素材情報が検出部５６によって読み込まれ（Ｓ２７１）、横線の折り目の座標値が小組内の相対座標に変換される（Ｓ２７２）。次に、小組用素材情報の先頭素材が処理対象とされる（Ｓ２７３）。
【０１６６】
そして、該当素材の素材種別が画像である場合（Ｓ２７４：Ｙｅｓ）であり、この画像が配置済であり（Ｓ２７５：Ｙｅｓ）、画像区分が写真であり（Ｓ２７６：Ｙｅｓ）、対象画像区分が非該当ではなく（Ｓ２７７：Ｎｏ）、対象画像区分が全体該当ではなく（Ｓ２７８：Ｎｏ）、対象画像区分が部分該当ではなく（Ｓ２７９：Ｎｏ）、小組用素材情報の全てが処理された場合（Ｓ２８０：Ｙｅｓ）には、横線の折り目との重なりはないと判定され、処理を終了する（Ｓ２８１）。一方、ステップＳ２８０において、未処理の小組用素材情報がある場合（Ｓ２８０：Ｎｏ）には、次の素材が対象とされ（Ｓ２８２）、ステップＳ２７４の処理に移行する。
【０１６７】
また、ステップＳ２７９において、部分該当である場合（Ｓ２７９：Ｙｅｓ）には、対象物領域の配置位置相対Ｘ座標、配置位置相対Ｙ座標、Ｘ方向寸法、及びＹ方向寸法が処理対象とされる（Ｓ２８３）。そして、対象物領域の配置位置相対座標が紙面内の配置位置座標値に変換される（Ｓ２８４）。そして、処理対象の対象物領域が横線の折り目と重なる場合（Ｓ２８５：Ｙｅｓ）には、横線の折り目との重なりがあるものと判定され（Ｓ２８６）、処理を終了する。
【０１６８】
一方、ステップＳ２８５において、横線の折り目と重ならない場合（Ｓ２８５：Ｎｏ）であって、処理対象の対象物領域が全て処理された場合（Ｓ２８７：Ｙｅｓ）であれば、ステップＳ２８０の処理に移行する。一方、未処理の対象物領域がある場合（Ｓ２８７：Ｎｏ）には、次の対象物領域の配置位置相対Ｘ座標、配置位置相対Ｙ座標、Ｘ方向寸法、及びＹ方向寸法が処理対象とされ（Ｓ２８８）、ステップＳ２８４の処理に移行する。
【０１６９】
一方、ステップＳ２７８において、全体該当である場合（Ｓ２７８：Ｙｅｓ）には、該当素材の配置領域が横線の折り目と重なるか否かが調べられる（Ｓ２８９）。そして、重なる場合（Ｓ２９０：Ｙｅｓ）には、横線との重なりありと判定され（Ｓ２９１）、処理を終了する。一方、ステップＳ２９０において、横線の折り目と重ならない場合（Ｓ２９０：Ｎｏ）には、ステップＳ２８０の処理に移行する。
【０１７０】
なお、ステップＳ２７７において非該当である場合（Ｓ２７７：Ｙｅｓ）、ステップＳ２７６において写真ではない場合（Ｓ２７６：Ｎｏ）、ステップＳ２７５において配置済ではない場合（Ｓ２７５：Ｎｏ）、ステップＳ２７４において画像ではない場合（Ｓ２７４：Ｎｏ）には、ステップＳ２８０の処理に移行する。
【０１７１】
また、ステップＳ２３５及びステップＳ２３９においてなされる縦線の折り目との重なりを調べる方法について、図６９乃至図７２のフローチャートを用いて説明する。
【０１７２】
まず、該当小組の小組用素材情報が検出部５６によって読み込まれ（Ｓ３０１）、縦線の折り目の座標値が小組内の相対座標に変換される（Ｓ３０２）。次に、小組用素材情報の先頭素材が処理対象とされる（Ｓ３０３）。
【０１７３】
そして、該当素材の素材種別が画像である場合（Ｓ３０４：Ｙｅｓ）であり、この画像が配置済であり（Ｓ３０５：Ｙｅｓ）、画像区分が写真であり（Ｓ３０６：Ｙｅｓ）、対象画像区分が非該当ではなく（Ｓ３０７：Ｎｏ）、対象画像区分が全体該当ではなく（Ｓ３０８：Ｎｏ）、対象画像区分が部分該当ではなく（Ｓ３０９：Ｎｏ）、小組用素材情報の全てが処理された場合（Ｓ３１０：Ｙｅｓ）には、縦線の折り目との重なりはないと判定され、処理を終了する（Ｓ３１１）。一方、ステップＳ３１０において、未処理の小組用素材情報がある場合（Ｓ３１０：Ｎｏ）には、次の素材が対象とされ（Ｓ３１２）、ステップＳ３０４の処理に移行する。
【０１７４】
また、ステップＳ３０９において、部分該当である場合（Ｓ３０９：Ｙｅｓ）には、対象物領域の配置位置相対Ｘ座標、配置位置相対Ｙ座標、Ｘ方向寸法、及びＹ方向寸法が処理対象とされる（Ｓ３１３）。そして、対象物領域の配置位置相対座標が紙面内の配置位置座標値に変換される（Ｓ３１４）。そして、処理対象の対象物領域が縦線の折り目と重なる場合（Ｓ３１５：Ｙｅｓ）には、縦線の折り目との重なりがあるものと判定され（Ｓ３１６）、処理を終了する。
【０１７５】
一方、ステップＳ３１５において、縦線の折り目と重ならない場合（Ｓ３１５：Ｎｏ）であって、処理対象の対象物領域が全て処理された場合（Ｓ３１７：Ｙｅｓ）であれば、ステップＳ３１０の処理に移行する。一方、未処理の対象物領域がある場合（Ｓ３１７：Ｎｏ）には、次の対象物領域の配置位置相対Ｘ座標、配置位置相対Ｙ座標、Ｘ方向寸法、及びＹ方向寸法が処理対象とされ（Ｓ３１８）、ステップＳ３１４の処理に移行する。
【０１７６】
一方、ステップＳ３０８において、全体該当である場合（Ｓ３０８：Ｙｅｓ）には、該当素材の配置領域が縦線の折り目と重なるか否かが調べられる（Ｓ３１９）。そして、重なる場合（Ｓ３２０：Ｙｅｓ）には、縦線との重なりありと判定され（Ｓ３２９１）、処理を終了する。一方、ステップＳ３２９０において、縦線の折り目と重ならない場合（Ｓ３２０：Ｎｏ）には、ステップＳ３１０の処理に移行する。
【０１７７】
なお、ステップＳ３０７において非該当である場合（Ｓ３０７：Ｙｅｓ）、ステップＳ３０６において写真ではない場合（Ｓ３０６：Ｎｏ）、ステップＳ３０５において配置済ではない場合（Ｓ３０５：Ｎｏ）、ステップＳ３０４において画像ではない場合（Ｓ３０４：Ｎｏ）には、ステップＳ３１０の処理に移行する。
【０１７８】
また、ステップＳ２３２及びステップＳ２４５において配置位置変更部５７でなされる上方向移動量最小値ＹＵ、及び下方向移動量最小値ＹＤの値の計算方法について図３８及び図３９に示すフローチャート等を用いて説明する。
【０１７９】
まず連結リスト７４が初期化される（Ｓ３２１）。連結リスト７４とは、例えば図７３に示すように、小組内に含まれる全ての対象物をレコードとして始点座標７４Ｓと終点座標７４Ｅとを積み上げたリストである。
【０１８０】
次に、対象とする小組用素材情報から対象物のＹ方向領域始点座標／終点座標が抽出され、抽出リスト７３が作成される（Ｓ３２２）。具体的な作成方法については図７４乃至図７６に示すフローチャートを用いて後述する。また抽出リスト７３とは、例えば図７７に示すように、小組内に含まれる全ての対象物をレコードとして始点座標７３Ｓと終点座標７３Ｅとを積み上げたリストである。
【０１８１】
そして、抽出リスト７３の先頭レコードが対象とされる（Ｓ３２３）。そして、Ｙ方向に対して、該当レコードの始点座標７３Ｓから終点座標７３Ｅまでが、連結リスト７４内の始点座標７４Ｓから終点座標７４Ｅまでと重なるか否かが調べられる（Ｓ３２４）。そして、重なる場合（Ｓ３２４：Ｙｅｓ）には、重なった連結リスト７４内の始点座標７４Ｓ及び終点座標７４Ｅに対して、該当レコードの始点座標７３Ｓ及び終点座標７３Ｅが合併される（Ｓ３２５）。
【０１８２】
例えば図７８に示すように対象物領域６１（＃１）と対象物領域６１（＃２）とが対象画像（例えば写真）６０内に存在する場合、Ｙ方向に対しては、対象物領域６１（＃１）の始点座標７３Ｓ（＃１）から終点座標７３Ｅ（＃１）までと、対象物領域６１（＃２）の始点座標７３Ｓ（＃２）から終点座標７３Ｅ（＃２）までとには、重なり合う部分がない。このような場合、始点座標７３Ｓ及び終点座標７３Ｅとは合併されない。
【０１８３】
そして、抽出リスト７３内の全てのレコードが処理された場合（Ｓ３２６：Ｙｅｓ）には、連結リスト７４のレコードに対して横線折り目と重なるレコードが探索され（Ｓ３２７）、横線の折り目のＹ方向座標Ｙｐから横線の折り目と重なった連結領域の始点座標Ｙｓが減じられることによって、上方向移動量最小値ＹＵが求められる。また、横線の折り目と重なった連結領域の終点座標Ｙｅから横線の折り目のＹ方向座標Ｙｐが減じられることによって、下方向移動量最小値ＹＤが求められる（Ｓ３２８）。そして、処理を終了する。
【０１８４】
一方、ステップＳ３２６において、未処理のレコードがある場合（Ｓ３２６：Ｎｏ）には、次のレコードが対象とされ（Ｓ３２９）、ステップＳ３２４の処理に移行する。
【０１８５】
また、ステップＳ３２４において、重ならない場合（Ｓ３２４：Ｎｏ）には、連結リスト７４に、該当レコードの始点座標７３Ｓ及び終点座標７３Ｅが追加される（Ｓ３３０）。そして、連結リスト７４の登録件数７４０が１追加され（Ｓ３３１）、ステップＳ３２６の処理に移行する。
【０１８６】
また、ステップＳ２３７及びステップＳ２４４において配置位置変更部５７でなされる右方向移動量最小値ＸＲ、及び左方向移動量最小値ＸＬの値の計算方法について図４０及び図４１に示すフローチャート等を用いて説明する。
【０１８７】
まず、対象とする小組用素材情報から対象物のＸ方向領域始点座標／終点座標が抽出され、抽出リスト７３が作成される（Ｓ３４１）。具体的な作成方法については図７９乃至図８１に示すフローチャートを用いて後述する。
【０１８８】
そして、抽出リスト７３の先頭レコードが対象とされる（Ｓ３４２）。そして、Ｘ方向に対して、該当レコードの始点座標７３Ｓから終点座標７３Ｅまでが、連結リスト７４内の始点座標７４Ｓから終点座標７４Ｅまでと重なるか否かが調べられる（Ｓ３４３）。そして、重なる場合（Ｓ３４３：Ｙｅｓ）には、重なった連結リスト７４内の始点座標７４Ｓ及び終点座標７４Ｅに対して、該当レコードの始点座標７３Ｓ及び終点座標７３Ｅが合併される（Ｓ３４４）。
【０１８９】
例えば図７８に示すように対象物領域６１（＃１）と対象物領域６１（＃２）とが対象画像（例えば写真）６０内に存在する場合、Ｘ方向に対しては、対象物領域６１（＃１）の始点座標７３Ｓ（＃１）から終点座標７３Ｅ（＃１）までと、対象物領域６１（＃２）の始点座標７３Ｓ（＃２）から終点座標７３Ｅ（＃２）までとには、重なり合う部分がある。このような場合、始点座標７３Ｓ及び終点座標７３Ｅとは合併される。
【０１９０】
そして、抽出リスト７３内の全てのレコードが処理された場合（Ｓ３４５：Ｙｅｓ）には、連結リスト７４のレコードに対して縦線折り目と重なるレコードが探索され（Ｓ３４６）、縦線の折り目のＸ方向座標Ｘｐから縦線の折り目と重なった連結領域の始点座標Ｘｓが減じられることによって、右方向移動量最小値ＸＲが求められる。また、縦線の折り目と重なった連結領域の終点座標Ｘｅから縦線の折り目のＸ方向座標Ｘｐが減じられることによって、左方向移動量最小値ＸＬが求められる（Ｓ３４７）。そして、処理を終了する。
【０１９１】
一方、ステップＳ３４５において、未処理のレコードがある場合（Ｓ３４５：Ｎｏ）には、次のレコードが対象とされ（Ｓ３４８）、ステップＳ３４３の処理に移行する。
【０１９２】
また、ステップＳ３４３において、重ならない場合（Ｓ３４３：Ｎｏ）には、連結リスト７４に、該当レコードの始点座標７３Ｓ及び終点座標７３Ｅが追加される（Ｓ３４９）。そして、ステップＳ３４５の処理に移行する。
【０１９３】
次に、ステップＳ３２２で、Ｙ方向領域始点座標／終点座標を基に作成される抽出リスト７３の作成方法について、図７４乃至図７６に示すフローチャートを用いて説明する。
【０１９４】
まず、該当小組の小組用素材情報が読み込まれ（Ｓ３５１）、次に、抽出リスト７３が初期化される（Ｓ３５２）。そして、小組用素材情報の先頭素材が対象とされる（Ｓ３５３）。そして、該当素材の素材種別が画像である場合（Ｓ３５４：Ｙｅｓ）であり、この画像が配置済であり（Ｓ３５５：Ｙｅｓ）、画像区分が写真であり（Ｓ３５６：Ｙｅｓ）、対象画像区分が非該当ではなく（Ｓ３５７：Ｎｏ）、対象画像区分が全体該当ではなく（Ｓ３５８：Ｎｏ）、対象画像区分が部分該当ではなく（Ｓ３５９：Ｎｏ）、小組用素材情報の全てが処理された場合（Ｓ３６０：Ｙｅｓ）には処理を終了する。一方、ステップＳ３６０において、未処理の小組用素材情報がある場合（Ｓ３６０：Ｎｏ）には、次の素材が対象とされ（Ｓ３６１）、ステップＳ３５４の処理に移行する。
【０１９５】
一方、ステップＳ３５９において部分該当である場合（Ｓ３５９：Ｙｅｓ）には、初めの対象物領域が対象とされ（Ｓ３６２）、対象画像の配置開始位置Ｙ座標、配置領域寸法Ｙ方向寸法、対象物領域の配置位置相対Ｙ座標、対象物領域Ｙ方向寸法から対象物領域の対角線始点Ｙ座標、対角線終点Ｙ座標が計算される（Ｓ３６３）。そして、これら始点座標及び終点座標が抽出リスト７３に書き込まれ（Ｓ３６４）、登録件数７３０が１追加される（Ｓ３６５）。
【０１９６】
そして、対象画像の対象物領域の全てを処理した場合（Ｓ３６６：Ｙｅｓ）にはステップＳ３６０の処理に移行し、未処理の対象物領域がある場合（Ｓ３６６：Ｎｏ）には、次の対象物領域が対象とされ（Ｓ３６７）、ステップＳ３６２の処理に移行する。
【０１９７】
一方、ステップＳ３５８において非該当である場合（Ｓ３５８：Ｙｅｓ）には、配置量域の開始位置座標、配置領域寸法から、配置領域対角線始点Ｙ座標、対角線終点Ｙ座標が計算され（Ｓ３６８）、抽出リスト７３に始点座標、終点座標が書き込まれ（Ｓ３６９）、登録件数７３０が１追加され（Ｓ３７０）、ステップＳ３６０の処理に移行する。
【０１９８】
なお、ステップＳ３５７において非該当である場合（Ｓ３５７：Ｙｅｓ）、ステップＳ３５６において写真ではない場合（Ｓ３５６：Ｎｏ）、ステップＳ３５５において配置済ではない場合（Ｓ３５５：Ｎｏ）、ステップＳ３５４において画像ではない場合（Ｓ３５４：Ｎｏ）には、ステップＳ３６０の処理に移行する。
【０１９９】
次に、ステップＳ３４１で、Ｘ方向領域始点座標／終点座標を基に作成される抽出リスト７３の作成方法について、図７９乃至図８１に示すフローチャートを用いて説明する。
【０２００】
まず、該当小組の小組用素材情報が読み込まれ（Ｓ３８１）、次に、抽出リスト７３が初期化される（Ｓ３８２）。そして、小組用素材情報の先頭素材が対象とされる（Ｓ３８３）。そして、該当素材の素材種別が画像である場合（Ｓ３８４：Ｙｅｓ）であり、この画像が配置済であり（Ｓ３８５：Ｙｅｓ）、画像区分が写真であり（Ｓ３８６：Ｙｅｓ）、対象画像区分が非該当ではなく（Ｓ３８７：Ｎｏ）、対象画像区分が全体該当ではなく（Ｓ３８８：Ｎｏ）、対象画像区分が部分該当ではなく（Ｓ３８９：Ｎｏ）、小組用素材情報の全てが処理された場合（Ｓ３９０：Ｙｅｓ）には処理を終了する。一方、ステップＳ３９０において、未処理の小組用素材情報がある場合（Ｓ３９０：Ｎｏ）には、次の素材が対象とされ（Ｓ３９１）、ステップＳ３８４の処理に移行する。
【０２０１】
一方、ステップＳ３８９において部分該当である場合（Ｓ３８９：Ｙｅｓ）には、初めの対象物領域が対象とされ（Ｓ３９２）、対象画像の配置開始位置Ｘ座標、配置領域寸法Ｘ方向寸法、対象物領域の配置位置相対Ｘ座標、対象物領域Ｘ方向寸法から対象物領域の対角線始点Ｘ座標、対角線終点Ｘ座標が計算される（Ｓ３９３）。そして、これら始点座標及び終点座標が抽出リスト７３に書き込まれ（Ｓ３９４）、登録件数７３０が１追加される（Ｓ３９５）。
【０２０２】
そして、対象画像の対象物領域の全てを処理した場合（Ｓ３９６：Ｙｅｓ）にはステップＳ３９０の処理に移行し、未処理の対象物領域がある場合（Ｓ３９６：Ｎｏ）には、次の対象物領域が対象とされ（Ｓ３９７）、ステップＳ３９２の処理に移行する。
【０２０３】
一方、ステップＳ３８８において非該当である場合（Ｓ３８８：Ｙｅｓ）には、配置量域の開始位置座標、配置領域寸法から、配置領域対角線始点Ｘ座標、対角線終点Ｘ座標が計算され（Ｓ３９８）、抽出リスト７３に始点座標、終点座標が書き込まれ（Ｓ３９９）、登録件数７３０が１追加され（Ｓ４００）、ステップＳ３９０の処理に移行する。
【０２０４】
なお、ステップＳ３８７において非該当である場合（Ｓ３８７：Ｙｅｓ）、ステップＳ３８６において写真ではない場合（Ｓ３８６：Ｎｏ）、ステップＳ３８５において配置済ではない場合（Ｓ３８５：Ｎｏ）、ステップＳ３８４において画像ではない場合（Ｓ３８４：Ｎｏ）には、ステップＳ３９０の処理に移行する。
【０２０５】
このようにして、折り目位置上に配置された小組の配置位置を、折り目位置上に配置されないように変更することができる。
【０２０６】
次に、対象物を含む対象画像が、小組内に配置されている場合には、対象物を囲む最小矩形領域が折り目位置１０１，１０２上に配置されないように、対象画像の配置位置座標を小組内で変更する場合における動作について図８２乃至図８６に示すフローチャートを用いて説明する。
【０２０７】
最小外接矩形領域について、図８７を用いて説明する。図８７に示すように、対象物６１（＃１）と、対象物６１（＃２）と、非対象物６３（＃１）と、非対象物６３（＃２）とが撮像されている対象画像６２の場合、最小外接矩形領域６５は、全ての対象物、すなわち対象物６１（＃１）と対象物６１（＃２）とを囲む最小の矩形領域のことである。
【０２０８】
まず、紙面データ７１が画像識別部５２によって取得され、素材情報のうち先頭素材が対象とされる（Ｓ４１１）。そして、この素材の素材種別が小組であり（Ｓ４１２：Ｙｅｓ）、配置済である場合（Ｓ４１３：Ｙｅｓ）には、検出部５６によって、当該小組が折り目と重なるか否かが調べられる（Ｓ４１４）。
【０２０９】
そして、重なる場合（Ｓ４１５：Ｙｅｓ）には、更に小組用素材情報が読み込まれ（Ｓ４１６）、配置位置変更部５７によって、対象画像の最小外接矩形領域の始点座標（ＸＭ，ＹＭ）及び終点座標（ＸＮ、ＹＮ）（図８７参照）が初期化される（Ｓ４１７）。更に、配置位置変更部５７が記憶している対象画像件数カウンタも零に初期化される（Ｓ４１８）。次に、小組用素材情報の先頭素材が対象とされる（Ｓ４１９）。
【０２１０】
そして、該当素材の素材種別が画像であり（Ｓ４２０：Ｙｅｓ）、配置済であり（Ｓ４２１：Ｙｅｓ）、画像区分が写真であり（Ｓ４２２：Ｙｅｓ）、対象画像区分に該当する（Ｓ４２３：Ｙｅｓ）場合には、配置位置変更部５７によって対象画像件数カウンタが１とされる（Ｓ４２４）。
【０２１１】
そして、対象画像の配置位置開始座標と配置領域寸法から配置領域対角線領域始点座標（ｘ１，ｙ１）、及び配置領域対角線領域終点座標（ｘ２，ｙ２）が計算される（Ｓ４２５）。そして、対象画像の最小外接矩形領域の始点座標（ＸＭ，ＹＭ）と終点座標（ＸＮ，ＹＮ）とが以下のようにして更新される（Ｓ４２６）。すなわち、始点Ｘ座標ＸＭと始点Ｘ座標ｘ１との何れか小さい方を新たな始点Ｘ座標ＸＭとし、始点Ｙ座標ＹＭと始点Ｙ座標ｙ１との何れか小さい方を新たな始点Ｙ座標ＹＸとする。また、終点Ｘ座標ＸＮと終点Ｘ座標ｘ２との何れか大きい方を新たな終点Ｘ座標ＸＮとし、終点Ｙ座標ＹＮと終点Ｙ座標ｙ２との何れか大きい方を新たな終点Ｙ座標ＹＮとする。
【０２１２】
そして、小組用素材情報内に未処理の素材がある場合（Ｓ４２７：Ｎｏ）には、次の素材が対象とされ（Ｓ４２８）、ステップＳ４２０の処理に移行する。一方、小組用素材情報内の全ての素材を処理した場合（Ｓ４２７：Ｙｅｓ）であって、対象画像件数カウンタが零より大きい場合（Ｓ４２９：Ｙｅｓ）には、検出部５６によって、対象画像を全て包含する最小外接矩形領域が縦線の折り目と重なるか否かが調べられる（Ｓ４３０）。
【０２１３】
そして、縦線の折り目と重ならない場合（Ｓ４３０：Ｎｏ）には、更に検出部５６によって、この最小外接矩形領域が横線の折り目と重なるか否かが調べられる（Ｓ４３１）。そして、横線の折り目と重ならず（Ｓ４３１：Ｎｏ）、全ての素材情報を処理した場合（Ｓ４３２：Ｙｅｓ）には、処理を終了する。一方、未処理の素材情報がある場合（Ｓ４３２：Ｎｏ）には、次の素材が対象とされ（Ｓ４３３）、ステップＳ４１２の処理に移行する。
【０２１４】
一方、ステップＳ４３１において、横線の折り目と重なる場合（Ｓ４３１：Ｙｅｓ）には、配置位置変更部５７によって、横線の折り目位置と重なった最小外接矩形領域のＹ方向移動量ＹＵ／ＹＤ（図８８参照）の値が計算され（Ｓ４３４）、この計算結果に基づいて、小組の配置位置のＹ方向座標が修正され（Ｓ４３５）、ステップＳ４３２の処理に移行する。なお、ステップＳ４３４及びステップＳ４３５の処理の詳細については、図９０及び図９２のフローチャートを用いて後述する。
【０２１５】
一方、ステップＳ４３０において、縦線の折り目と重なり（Ｓ４３０：Ｙｅｓ）、対象画像を全て包含する最小外接矩形領域が、横線の折り目と重ならない（Ｓ４３６：Ｎｏ）のであれば、配置位置変更部５７によって、縦線の折り目位置と重なった最小外接矩形領域のＸ方向移動量ＸＲ／ＸＬ（図８８参照）の値が計算され（Ｓ４３７）、この計算結果に基づいて、小組の配置位置のＸ方向座標が修正され（Ｓ４３８）、ステップＳ４３２の処理に移行する。なお、ステップＳ４３７及びステップＳ４３８の処理の詳細については、図８９及び図９１のフローチャートを用いて後述する。
【０２１６】
一方、ステップＳ４３６において、横線の折り目と重なる場合（Ｓ４３６：Ｙｅｓ）には、配置位置変更部５７によって、縦線の折り目位置と重なった最小外接矩形領域のＸ方向移動量ＸＲ／ＸＬの値が計算され（Ｓ４３９）、横線の折り目位置と重なった最小外接矩形領域のＹ方向移動量ＹＵ／ＹＤの値が計算される（Ｓ４４０）。そして、ステップＳ４３９の計算結果に基づいて、小組の配置位置のＸ方向座標が修正され（Ｓ４４１）、ステップＳ４４０の計算結果に基づいて、小組の配置位置のＹ方向座標が修正され（Ｓ４４２）、しかる後にステップＳ４３２の処理に移行する。なお、ステップＳ４３９、ステップＳ４４０、ステップＳ４４１、及びステップＳ４４２の処理の詳細については、図８９、図９０、図９１、及び図９２のフローチャートを用いて後述する。
【０２１７】
すなわち、ステップＳ４３７及びステップＳ４３９では、図８８及び図８９に示すように、縦線の折り目のＸ方向座標ＸＰから、最小外接矩形領域のＸ方向始点座標ＸＭを減じることによって右方向移動量ＸＲが計算される。また、最小外接矩形領域のＸ方向終点座標ＸＮから、縦線の折り目のＸ方向座標ＸＰを減じることによって左方向移動量ＸＬが計算される（Ｓ４５１）。
【０２１８】
また、ステップＳ４３４及びステップＳ４４０では、図８８及び図９０に示すように、横線の折り目のＹ方向座標ＹＰから、最小外接矩形領域のＹ方向始点座標ＹＭを減じることによって上方向移動量ＹＵが計算される。また、最小外接矩形領域のＹ方向終点座標ＹＮから、横線の折り目のＹ方向座標ＹＰを減じることによって下方向移動量ＹＤが計算される（Ｓ４６１）。
【０２１９】
更に、ステップＳ４３８及びステップＳ４４１では、図８８及び図９１に示すように、右方向移動量ＸＲが、左方向移動量ＸＬよりも大きい場合（Ｓ４７１：Ｙｅｓ）には、配置開始位置Ｘ座標から、左方向移動量ＸＬにオペレータ操作量αを加えた値を減じた値を、新たな配置開始位置Ｘ座標とすることによって、右方向に移動するように小組の配置開始位置座標が変更される（Ｓ４７２）。
【０２２０】
一方、右方向移動量ＸＲが、左方向移動量ＸＬよりも大きくない場合（Ｓ４７１：Ｎｏ）には、配置開始位置Ｘ座標に、右方向移動量ＸＲにオペレータ操作量αを加えた値を加えた値を、新たな配置開始位置Ｘ座標とすることによって、左方向に移動するように小組の配置開始位置座標が変更される（Ｓ４７３）。
【０２２１】
更にまた、ステップＳ４３５及びステップＳ４４２では、図８８及び図９２に示すように、上方向移動量ＹＵが、下方向移動量ＹＤよりも大きい場合（Ｓ４８１：Ｙｅｓ）には、配置開始位置Ｙ座標から、上方向移動量ＹＵにオペレータ操作量βを加えた値を減じた値を、新たな配置開始位置Ｙ座標とすることによって、上方向に移動するように小組の配置開始位置座標が変更される（Ｓ４８２）。
【０２２２】
一方、上方向移動量ＹＵが、下方向移動量ＹＤよりも大きくない場合（Ｓ４８１：Ｎｏ）には、配置開始位置Ｙ座標に、下方向移動量ＹＤにオペレータ操作量βを加えた値を加えた値を、新たな配置開始位置Ｙ座標とすることによって、下方向に移動するように小組の配置開始位置座標が変更される（Ｓ４８３）。
【０２２３】
このようにして、対象物を含む対象画像が、小組内に配置されている場合には、対象物を囲む最小矩形領域が折り目位置上に配置されないように、対象画像の配置位置座標を小組内で変更することができる。
【０２２４】
上述したように、本実施の形態に係る組版システムにおいては、上記のような作用により、人物写真、旗、マーク等の対象画像が紙面の折り目の位置にレイアウトされたことを識別を容易にしたり、検知して表示したりすることができる。
【０２２５】
更には、これら対象画像のレイアウト位置が、折り目位置上にならないように自動調整することができるので、編集者や操作者の作業上の負担を軽減することが可能となる。
【０２２６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０２２７】
【図１】本実施の形態に係る新聞紙面用の版下データの作成に適用される組版システムの一例を示す機能ブロック図。
【図２】組版端末の構成例を示す機能ブロック図。
【図３】管理情報の一例を示すデータ構成図。
【図４】素材情報の一例を示すデータ構成図（記事ア）。
【図５】素材情報の一例を示すデータ構成図（見出しイ）。
【図６】素材情報の一例を示すデータ構成図（画像ウ）。
【図７】素材情報の一例を示すデータ構成図（罫エ）。
【図８】素材情報の一例を示すデータ構成図（記事オ）。
【図９】素材情報の一例を示すデータ構成図（見出しカ）。
【図１０】素材情報の一例を示すデータ構成図（画像キ）。
【図１１】素材情報の一例を示すデータ構成図（画像ク）。
【図１２】素材実体の一例を示すデータ構成図。
【図１３】表示制御部による表示制御処理の流れを示すフローチャート。
【図１４】紙面上の折り目位置の座標を示す模式図。
【図１５】２つ折り時の折り目位置の座標を示す図。
【図１６】４つ折り時の折り目位置の座標を示す図。
【図１７】８つ折り時の折り目位置の座標を示す図。
【図１８】折り目位置上に配置された対象画像の検出処理の流れを示すフローチャート。
【図１９】折り目位置上に配置された対象画像の検出処理の流れを示すフローチャート。
【図２０】折り目位置上に配置された対象画像を、折り目位置上に配置されないように移動させる処理の流れをフローチャート。
【図２１】折り目位置上に配置された対象画像を、折り目位置上に配置されないように移動させる処理の流れをフローチャート。
【図２２】折り目位置上に配置された対象画像を、折り目位置上に配置されないように移動させる処理の流れをフローチャート。
【図２３】折り目位置上に配置された対象画像を、折り目位置上に配置されないように移動させる処理の流れをフローチャート。
【図２４】折り目位置上に配置された対象画像を、折り目位置上に配置されないように移動させる処理の流れをフローチャート。
【図２５】折り目位置上に配置された対象画像を、折り目位置上に配置されないように移動させる処理の流れをフローチャート。
【図２６】対象画像の移動量を示す模式図。
【図２７】対象画像に含まれる対象物に関する情報を含む素材情報の一例を示すデータ構成図。
【図２８】対象物に関する情報を含む素材情報を持つ紙面データに対するレイアウト処理の流れを示すフローチャート。
【図２９】折り目位置上に配置された対象物の検出処理の流れを示すフローチャート。
【図３０】折り目位置上に配置された対象物の検出処理の流れを示すフローチャート。
【図３１】折り目位置上に配置された対象物の検出処理の流れを示すフローチャート。
【図３２】折り目位置上に配置された対象物の検出処理の流れを示すフローチャート。
【図３３】折り目位置上に対象物が配置されないように、対象画像の配置位置座標を変更する処理の流れを示すフローチャート。
【図３４】折り目位置上に対象物が配置されないように、対象画像の配置位置座標を変更する処理の流れを示すフローチャート。
【図３５】折り目位置上に対象物が配置されないように、対象画像の配置位置座標を変更する処理の流れを示すフローチャート。
【図３６】折り目位置上に対象物が配置されないように、対象画像の配置位置座標を変更する処理の流れを示すフローチャート。
【図３７】折り目位置上に対象物が配置されないように、対象画像の配置位置座標を変更する処理の流れを示すフローチャート。
【図３８】対象画像内の対象物領域が横線の折り目位置と重ならなくなる上方向移動量の計算の流れを示すフローチャート。
【図３９】対象画像内の対象物領域が横線の折り目位置と重ならなくなる上方向移動量の計算の流れを示すフローチャート。
【図４０】対象画像内の対象物領域が縦線の折り目位置と重ならなくなる右方向移動量の計算の流れを示すフローチャート。
【図４１】対象画像内の対象物領域が縦線の折り目位置と重ならなくなる左方向移動量の計算の流れを示すフローチャート。
【図４２】素材情報の一例を示すデータ構成図（小組ケ）。
【図４３】小組用管理情報の一例を示すデータ構成図。
【図４４】小組用素材情報の一例を示すデータ構成図（記事コ）。
【図４５】小組用素材情報の一例を示すデータ構成図（記事サ）。
【図４６】小組用素材情報の一例を示すデータ構成図（画像シ）。
【図４７】小組用素材実体野市例を示すデータ構成図。
【図４８】折り目位置上に配置された小組内画像の検出処理の流れを示すフローチャート。
【図４９】折り目位置上に配置された小組内画像の検出処理の流れを示すフローチャート。
【図５０】折り目位置上に配置された小組内画像の検出処理の流れを示すフローチャート。
【図５１】折り目位置上に配置された小組内画像の検出処理の流れを示すフローチャート。
【図５２】折り目位置上に配置された小組内の対象画像内の対象物の検出処理の流れを示すフローチャート。
【図５３】折り目位置上に配置された小組内の対象画像内の対象物の検出処理の流れを示すフローチャート。
【図５４】折り目位置上に配置された小組内の対象画像内の対象物の検出処理の流れを示すフローチャート。
【図５５】折り目位置上に配置された小組内の対象画像内の対象物の検出処理の流れを示すフローチャート。
【図５６】折り目位置上に配置された小組内の対象画像内の対象物の検出処理の流れを示すフローチャート。
【図５７】小組内の対象画像内の対象物を検出するための素材情報の一例を示すデータ構成図。
【図５８】折り目位置上に配置された小組の配置位置を、折り目位置上に配置されないように変更する処理を示すフローチャート。
【図５９】折り目位置上に配置された小組の配置位置を、折り目位置上に配置されないように変更する処理を示すフローチャート。
【図６０】折り目位置上に配置された小組の配置位置を、折り目位置上に配置されないように変更する処理を示すフローチャート。
【図６１】折り目位置上に配置された小組の配置位置を、折り目位置上に配置されないように変更する処理を示すフローチャート。
【図６２】折り目位置上に配置された小組の配置位置を、折り目位置上に配置されないように変更する処理を示すフローチャート。
【図６３】小組の配置位置のＸ方向座標の修正方法を示すフローチャート。
【図６４】小組の配置位置のＹ方向座標の修正方法を示すフローチャート。
【図６５】横線の折り目との重なりを調べる方法を示すフローチャート。
【図６６】横線の折り目との重なりを調べる方法を示すフローチャート。
【図６７】横線の折り目との重なりを調べる方法を示すフローチャート。
【図６８】横線の折り目との重なりを調べる方法を示すフローチャート。
【図６９】縦線の折り目との重なりを調べる方法を示すフローチャート。
【図７０】縦線の折り目との重なりを調べる方法を示すフローチャート。
【図７１】縦線の折り目との重なりを調べる方法を示すフローチャート。
【図７２】縦線の折り目との重なりを調べる方法を示すフローチャート。
【図７３】連結リストの一例を示すデータ構成図。
【図７４】抽出リストの作成方法を示すフローチャート。
【図７５】抽出リストの作成方法を示すフローチャート。
【図７６】抽出リストの作成方法を示すフローチャート。
【図７７】抽出リストの一例を示すデータ構成図。
【図７８】複数の対象物の合併の可否を説明するための模式図。
【図７９】抽出リストの作成方法を示すフローチャート。
【図８０】抽出リストの作成方法を示すフローチャート。
【図８１】抽出リストの作成方法を示すフローチャート。
【図８２】対象画像の配置位置座標を小組内で変更する処理の流れを示すフローチャート。
【図８３】対象画像の配置位置座標を小組内で変更する処理の流れを示すフローチャート。
【図８４】対象画像の配置位置座標を小組内で変更する処理の流れを示すフローチャート。
【図８５】対象画像の配置位置座標を小組内で変更する処理の流れを示すフローチャート。
【図８６】対象画像の配置位置座標を小組内で変更する処理の流れを示すフローチャート。
【図８７】最小外接矩形領域を示す模式図。
【図８８】最小外接矩形領域の移動量を説明するための模式図。
【図８９】右方向移動量及び左方向移動量の計算方法を示すフローチャート。
【図９０】上方向移動量及び下方向移動量の計算方法を示すフローチャート。
【図９１】小組のＸ方向に対する配置開始位置座標の変更方向を示すフローチャート。
【図９２】小組のＹ方向に対する配置開始位置座標の変更方向を示すフローチャート
【図９３】新聞紙面の構成例を示す模式図（折り目位置上に対象画像が配置されていない場合）。
【図９４】新聞紙面の構成例を示す模式図（折り目位置上に対象画像が配置されている場合）。
【符号の説明】
【０２２８】
１…記事入力／校正端末、２…記事サーバ、３…画像入力／加工端末、４…画像サーバ、５…組版端末、６…組版編集サーバ、７…紙面データ記憶装置、８…出力サーバ、９…プリンタ／プロッタ、５２…画像識別部、５３…表示制御部、５４…表示画面、５５…配置情報把握部、５６…検出部、５７…配置位置変更部、６０…対象画像、６１…対象物領域、６２…対象画像、６３…非対象物、６５…最小外接矩形領域、７１…紙面データ、７３…抽出リスト、７４…連結リスト、１００…紙面、１０１．１０２…折り目位置、７１０…管理情報、７１１〜７１９，７２４…素材情報、７２０…小組用管理情報、７２１〜７２３…小組用素材情報、７２５…素材実体、７２６…小組用素材実体
【図１】
2006211114.tif 000003
【図２】
2006211114.tif 000004
【図３】
2006211114.tif 000005
【図４】
2006211114.tif 000006
【図５】
2006211114.tif 000007
【図６】
2006211114.tif 000008
【図７】
2006211114.tif 000009
【図８】
2006211114.tif 000010
【図９】
2006211114.tif 000011
【図１０】
2006211114.tif 000012
【図１１】
2006211114.tif 000013
【図１２】
2006211114.tif 000014
【図１３】
2006211114.tif 000015
【図１４】
2006211114.tif 000016
【図１５】
2006211114.tif 000017
【図１６】
2006211114.tif 000018
【図１７】
2006211114.tif 000019
【図１８】
2006211114.tif 000020
【図１９】
2006211114.tif 000021
【図２０】
2006211114.tif 000022
【図２１】
2006211114.tif 000023
【図２２】
2006211114.tif 000024
【図２３】
2006211114.tif 000025
【図２４】
2006211114.tif 000026
【図２５】
2006211114.tif 000027
【図２６】
2006211114.tif 000028
【図２７】
2006211114.tif 000029
【図２８】
2006211114.tif 000030
【図２９】
2006211114.tif 000031
【図３０】
2006211114.tif 000032
【図３１】
2006211114.tif 000033
【図３２】
2006211114.tif 000034
【図３３】
2006211114.tif 000035
【図３４】
2006211114.tif 000036
【図３５】
2006211114.tif 000037
【図３６】
2006211114.tif 000038
【図３７】
2006211114.tif 000039
【図３８】
2006211114.tif 000040
【図３９】
2006211114.tif 000041
【図４０】
2006211114.tif 000042
【図４１】
2006211114.tif 000043
【図４２】
2006211114.tif 000044
【図４３】
2006211114.tif 000045
【図４４】
2006211114.tif 000046
【図４５】
2006211114.tif 000047
【図４６】
2006211114.tif 000048
【図４７】
2006211114.tif 000049
【図４８】
2006211114.tif 000050
【図４９】
2006211114.tif 000051
【図５０】
2006211114.tif 000052
【図５１】
2006211114.tif 000053
【図５２】
2006211114.tif 000054
【図５３】
2006211114.tif 000055
【図５４】
2006211114.tif 000056
【図５５】
2006211114.tif 000057
【図５６】
2006211114.tif 000058
【図５７】
2006211114.tif 000059
【図５８】
2006211114.tif 000060
【図５９】
2006211114.tif 000061
【図６０】
2006211114.tif 000062
【図６１】
2006211114.tif 000063
【図６２】
2006211114.tif 000064
【図６３】
2006211114.tif 000065
【図６４】
2006211114.tif 000066
【図６５】
2006211114.tif 000067
【図６６】
2006211114.tif 000068
【図６７】
2006211114.tif 000069
【図６８】
2006211114.tif 000070
【図６９】
2006211114.tif 000071
【図７０】
2006211114.tif 000072
【図７１】
2006211114.tif 000073
【図７２】
2006211114.tif 000074
【図７３】
2006211114.tif 000075
【図７４】
2006211114.tif 000076
【図７５】
2006211114.tif 000077
【図７６】
2006211114.tif 000078
【図７７】
2006211114.tif 000079
【図７８】
2006211114.tif 000080
【図７９】
2006211114.tif 000081
【図８０】
2006211114.tif 000082
【図８１】
2006211114.tif 000083
【図８２】
2006211114.tif 000084
【図８３】
2006211114.tif 000085
【図８４】
2006211114.tif 000086
【図８５】
2006211114.tif 000087
【図８６】
2006211114.tif 000088
【図８７】
2006211114.tif 000089
【図８８】
2006211114.tif 000090
【図８９】
2006211114.tif 000091
【図９０】
2006211114.tif 000092
【図９１】
2006211114.tif 000093
【図９２】
2006211114.tif 000094
【図９３】
2006211114.tif 000095
【図９４】
2006211114.tif 000096